(57)【要約】【課題】遊技店の遊技媒体貸出時の消費税徴収にあたり遊技客の公平性と満足度の確保及び店舗従業員の負荷抑制を実現することを課題とする。【解決手段】消費税率と、遊技店でサービス提供する遊技種毎の遊技媒体貸出レートと、精算時に払出可能な最低精算金種とから、遊技種毎の貸出遊技媒体数の候補を画面に提示し、その候補から選択させることで遊技種毎の貸出遊技媒体数を決定し、決定した遊技種毎の貸出遊技媒体数を遊技媒体貸出処理の制御を行う台間カード処理機１０に、決定した最低精算金種を精算処理を行う精算機８０に自動的に送付することにより、遊技客の公平性と満足度の確保及び店舗従業員の負荷抑制を実現する。【選択図】図１
2014200594.tif 000002
【特許請求の範囲】
【請求項１】
遊技媒体の貸与時に遊技媒体の貸与単価に応じた第１の有価価値に加え、前記第１の有価価値に対して所定比率の第２の有価価値を遊技客から徴収する遊技管理システムであって、
前記第２の有価価値の徴収に用いられる比率と前記遊技媒体の貸与単価と最低精算金種とが所定の条件を満たす遊技媒体数を遊技媒体貸与単位数の候補値として抽出する候補値抽出手段と、
前記候補値抽出手段により抽出した候補値から前記遊技媒体貸与単位数を選択する選択手段と、
遊技媒体貸与操作を受け付けた場合に、前記遊技媒体貸与単位数の遊技媒体を貸与処理する貸与処理手段と
を備えたことを特徴とする遊技管理システム。
【請求項２】
前記貸与単価の異なる複数の遊技種が存在する場合に、前記候補値抽出手段は遊技種毎に前記候補値を抽出し、前記選択手段は遊技種毎に前記遊技媒体貸与単位数を選択することを特徴とする請求項１に記載の遊技管理システム。
【請求項３】
前記候補値抽出手段は、前記候補値を遊技媒体貸与単位数の候補として表示出力し、前記選択手段は、表示出力された候補値からの選択入力を受け付けることを特徴とする請求項１又は２に記載の遊技管理システム。
【請求項４】
前記候補値抽出手段は、所定の範囲の全ての遊技媒体数について、当該遊技媒体数を前記遊技媒体貸与単位数とした場合の遊技媒体貸与料金のテーブルを前記第２の有価価値の徴収に用いられる比率と前記遊技媒体の貸与単価とから生成し、前記テーブル内の遊技媒体貸与料金のうち、指定された最低精算金種で割り切れる遊技媒体貸与料金に対応する遊技媒体数を前記候補値として抽出することを特徴とする請求項１、２又は３に記載の遊技管理システム。
【請求項５】
前記選択手段により選択された前記遊技媒体貸与単位数を複数の前記貸与処理手段に配信する配信手段をさらに備えたことを特徴とする、請求項１〜４のいずれか一つに記載の遊技管理システム。
【請求項６】
前記遊技媒体貸与単位数に対応する遊技媒体貸与料金よりもプリペイド価値の残高が少ない状態で前記遊技媒体貸与操作を受け付けた場合に、前記遊技媒体貸与単位数よりも小さい候補値を端数貸与用遊技媒体貸与単位数として使用し、前記遊技媒体の貸与を行う端数貸与手段をさらに備えたことを特徴とする請求項１〜３のいずれか一つに記載の遊技管理システム。
【請求項７】
遊技媒体の貸与時に遊技媒体の貸与単価に応じた第１の有価価値に加え、前記第１の有価価値に対して所定比率の第２の有価価値を遊技客から徴収する遊技管理方法であって、
前記第２の有価価値の徴収に用いられる比率と前記遊技媒体の貸与単価と最低精算金種とが所定の条件を満たす遊技媒体数を遊技媒体貸与単位数の候補値として抽出する候補値抽出ステップと、
前記候補値抽出ステップにより抽出した候補値から前記遊技媒体貸与単位数を選択する選択ステップと、
遊技媒体貸与操作を受け付けた場合に、前記遊技媒体貸与単位数の遊技媒体を貸与処理する貸与処理ステップと
を含んだことを特徴とする遊技管理方法。
【発明の詳細な説明】
【技術分野】
【０００１】
この発明は、遊技媒体の貸出時に消費税を徴収するにあたって、全ての遊技客に対する平等性を確保しつつ、遊技客の利便性や遊技店従業員の負荷抑制を実現する遊技管理システム及び遊技管理方法に関する。
【背景技術】
【０００２】
従来、パチンコ店等の遊技店では、遊技媒体の貸出時に、消費税を含まない遊技媒体の貸出単価に貸出遊技媒体数を乗じた遊技媒体貸出料金の支払いと引き換えに、遊技客に所定数の遊技媒体の貸出を行っている（例えば、特許文献１及び２参照。）。つまり、遊技店は消費税を遊技客から徴収していないというのが現状である。
【０００３】
また、遊技店では遊技玉やメダルといった複数の遊技媒体の遊技を提供し、さらに同一種類の遊技媒体を使用する遊技においても遊技媒体の貸出単価の異なる複数の遊技媒体貸出レートの遊技を提供している。これらの全ての遊技種の遊技において、一律に消費税を徴収していないことから、全ての遊技客にとっての公平性も確保されている。
【先行技術文献】
【特許文献】
【０００４】
【特許文献１】特開２００４−２２２９７９号公報
【特許文献２】特開２０００−１４０３９４号公報
【発明の概要】
【発明が解決しようとする課題】
【０００５】
しかしながら、今後消費税率が高くなった場合などは、遊技客から消費税の徴収を行わなければ、遊技店の収益を確実に圧迫することとなる。ところが、消費税を遊技客から徴収することにすると、遊技媒体の貸出単価と、１回の遊技媒体貸出操作で貸し出される遊技媒体数と、消費税率とから算出される１回の遊技媒体貸出の消費税込みの遊技媒体貸出金額は整数になるとは限らない。遊技媒体貸出金額が整数にならないことから数値を切り捨てや四捨五入等によって数値を丸めるケースと、遊技媒体貸出金額が整数になるケースとでは、厳密には遊技客の負担する消費税率若しくは遊技媒体単価が異なることとなり、遊技客間での公平性が損なわれてしまうという問題がある。また、消費税の徴収に限らず、遊技媒体の貸出時に、遊技場内のサービス等の対価として、遊技媒体の単価以外に一定の比率の有価価値を手数料その他の名目で遊技客から徴収しようとする際も同様の課題が生じる。
【０００６】
また、前記の説明の通り公平性の観点から、遊技媒体貸出金額が整数となるように、遊技媒体の貸出単価と、１回の遊技媒体貸出操作で貸し出される遊技媒体数とを設定したとしても、その多くは、千円札、五千円札及び一万円札で入金した金額を、余りなく使い切る値とはならない。そのため、使い切れなかった金額に関しては精算機で精算する必要があるが、単に遊技媒体貸出金額を整数となることを考慮しただけでは、精算機で精算する金額が１円単位となることがあり、その場合には精算機で１円や１０円の払い出しが行える必要がある。精算機で払い出す金種が増えると、遊技店側の観点では払出対象として増えた金種を精算の為の準備金として用意したり、精算機への当該金種の補充を行う等の手間が増えてしまうという問題や、遊技客の観点では細かい釣銭が払い戻されることを嫌がられ遊技客の満足度を下げる可能性があるという問題点もある。
【０００７】
このため、遊技店の収益や遊技客の公平性の確保しつつ、遊技店の従業員の負荷増大をできる限り抑制し、遊技客の満足度を維持することが重要な課題となっている。なお、かかる課題は、スロット遊技機用の遊技媒体であるメダルを貯メダルとして管理する場合にも同様に発生する。
【０００８】
本発明は、上述した従来技術の課題を解消するためのものであって、遊技店の遊技媒体の貸出時の消費税を遊技客から徴収するにあたって、遊技客の公平性と満足度の確保及び店舗従業員の負荷増大の抑制を実現することのできる遊技管理システム及び遊技管理方法を提供することを目的とする。
【課題を解決するための手段】
【０００９】
上述した課題を解決し、目的を達成するため、本発明は、遊技媒体の貸与時に遊技媒体の貸与単価に応じた第１の有価価値に加え、前記第１の有価価値に対して所定比率の第２の有価価値を遊技客から徴収する遊技管理システムであって、前記第２の有価価値の徴収に用いられる比率と前記遊技媒体の貸与単価と最低精算金種とが所定の条件を満たす遊技媒体数を遊技媒体貸与単位数の候補値として抽出する候補値抽出手段と前記候補値抽出手段により抽出した候補値から前記遊技媒体貸与単位数を選択する選択手段と、遊技媒体貸与操作を受け付けた場合に、前記遊技媒体貸与単位数の遊技媒体を貸与処理する貸与処理手段とを備えたことを特徴とする。
【００１０】
また、本発明は、上記発明において、前記貸与単価の異なる複数の遊技種が存在する場合に、前記候補値抽出手段は遊技種毎に前記候補値を抽出し、前記選択手段は遊技種毎に前記遊技媒体貸与単位数を選択することを特徴とする。
【００１１】
また、本発明は、上記発明において、前記候補値抽出手段は、前記候補値を遊技媒体貸与単位数の候補として表示出力し、前記選択手段は、表示出力された候補値からの選択入力を受け付けることを特徴とする。
【００１２】
また、本発明は、上記発明において、前記候補値抽出手段は、所定の範囲の全ての遊技媒体数について、当該遊技媒体数を前記遊技媒体貸与単位数とした場合の遊技媒体貸与料金のテーブルを前記第２の有価価値の徴収に用いられる比率と前記遊技媒体の貸与単価とから生成し、前記テーブル内の遊技媒体貸与料金のうち、指定された最低精算金種で割り切れる遊技媒体貸与料金に対応する遊技媒体数を前記候補値として抽出することを特徴とする。
【００１３】
また、本発明は、上記発明において、前記選択手段により選択された前記遊技媒体貸与単位数を複数の前記貸与処理手段に配信する配信手段をさらに備えたことを特徴とする。
【００１４】
また、本発明は、上記発明において、前記遊技媒体貸与単位数に対応する遊技媒体貸与料金よりもプリペイド価値の残高が少ない状態で前記遊技媒体貸与操作を受け付けた場合に、前記遊技媒体貸与単位数よりも小さい候補値を端数貸与用遊技媒体貸与単位数として使用し、前記遊技媒体の貸与を行う端数貸与手段をさらに備えたことを特徴とする。
【００１５】
また、本発明は、遊技媒体の貸与時に遊技媒体の貸与単価に応じた第１の有価価値に加え、前記第１の有価価値に対して所定比率の第２の有価価値を遊技客から徴収する遊技管理方法であって、前記第２の有価価値の徴収に用いられる比率と前記遊技媒体の貸与単価と最低精算金種とが所定の条件を満たす遊技媒体数を遊技媒体貸与単位数の候補値として抽出する候補値抽出ステップと、前記候補値抽出ステップにより抽出した候補値から前記遊技媒体貸与単位数を選択する選択ステップと、遊技媒体貸与操作を受け付けた場合に、前記遊技媒体貸与単位数の遊技媒体を貸与処理する貸与処理ステップとを含んだことを特徴とする。
【発明の効果】
【００１６】
本発明によれば、第２の有価価値の徴収に用いられる比率と遊技媒体の貸与単価と最低精算金種とが所定の条件を満たす遊技媒体数を遊技媒体貸与単位数の候補値として抽出し、抽出した候補値から遊技媒体貸与単位数を選択させることにより決定し、遊技媒体貸与操作を受け付けた場合に、決定した遊技媒体貸与単位数の遊技媒体を貸与するよう構成したので、遊技店の遊技媒体の貸与時の第２の有価価値を遊技客から徴収するにあたって遊技客の公平性と満足度の確保及び店舗従業員の負荷増大の抑制を実現することができる。
【図面の簡単な説明】
【００１７】
【図１】図１は、遊技媒体貸出における遊技客からの消費税徴収に係る遊技管理システムの概念を説明するための説明図である。
【図２】図２は、実施例１に係る遊技システムのシステム構成を示す図である。
【図３】図３は、図２に示したカード管理装置の実施例１に係る内部構成を示すブロック図である。
【図４】図４は、図３に示したカード管理装置の実施例１に係るデータ構成（その１）について説明するための説明図である。
【図５】図５は、図３に示したカード管理装置の実施例１に係る最低精算金種を１円とした時のデータ構成（その２）について説明するための説明図である。
【図６】図６は、図５に示したカード管理装置のデータについて最低精算金種を１０円とした時のデータ内容及び設定値を説明するための説明図である。
【図７】図７は、図３に示したカード管理装置の遊技媒体貸出単位数データの設定画面を説明するための画面概要図である。
【図８】図８は、図２に示した台間カード処理機の外観図である。
【図９】図９は、図２に示した台間カード処理機の実施例１に係る内部構成を示すブロック図である。
【図１０】図１０は、図９に示した台間カード処理機の実施例１に係るデータ構成について説明するための説明図である。
【図１１】図１１は、カード管理装置の実施例２に係る内部構成を示すブロック図である。
【図１２】図１２は、カード管理装置の実施例２に係るデータ構成について説明するための説明図である。
【図１３】図１３は、カード管理装置の遊技媒体貸出単位数データの設定画面を説明するための画面概要図である。
【図１４】図１４は、台間カード処理機の実施例２に係る内部構成を示すブロック図である。
【図１５】図１５は、図１４に示した台間カード処理機の実施例２に係るデータ構成について説明するための説明図である。
【図１６】図１６は、台間カード処理機の実施例２に係る遊技媒体貸出処理の処理手順を説明するためのフローチャートである。
【発明を実施するための形態】
【００１８】
以下に、添付図面を参照して、本発明に係る遊技管理システム及び遊技管理方法の好適な実施例を詳細に説明する。
【実施例１】
【００１９】
まず、本実施例に係る、遊技媒体貸出における遊技客からの消費税徴収に係る遊技管理システムの概念を説明する。図１は、遊技媒体貸出における遊技客からの消費税徴収に係る遊技管理システムの概念を説明するための説明図である。
【００２０】
遊技客は遊技店で遊技する場合には、遊技媒体の貸出操作によって所定数の遊技媒体の貸出を受けて遊技を行う。遊技媒体の貸出に対する消費税込の料金は、台間カード処理機１０で入金したプリペイド価値から減算されることにより徴収される。また、使用せずに余ったプリペイド価値は、遊技終了時に台間カード処理機１０から排出されるカードに関連付けて管理され、該カードを精算機８０に挿入して精算操作をすることによって、精算機８０から払い戻される。
【００２１】
プリペイド価値の残高は、遊技客が入金した金額から、（遊技媒体の単価）×（貸出遊技媒体数）×（１＋消費税率）で算出される消費税込みの遊技媒体貸出料金を、差し引いた金額である。また、遊技媒体貸出料金が整数でない場合に数値を切り捨てや四捨五入等によって数値を丸めたり、精算時の残プリペイド価値が整数でない場合に数値を切り上げや四捨五入等によって数値を丸めた場合には、複数の遊技種で遊技する全ての遊技客の公平性の確保が困難となる。よって、全ての遊技客の公平性の確保のためには、遊技媒体貸出料金が整数となるように、複数の遊技種毎に遊技媒体の単価と１回の遊技媒体貸出操作で貸し出される遊技媒体数を決定する必要がある。
【００２２】
また、プリペイド価値の残高は精算機８０で払い戻しを行うことになることから、払い戻される金種が多い場合には精算機８０用に払い出し用の硬貨の準備や補充等の従業員の手間がかかることを考慮すると、できる限り精算機８０の最低精算金種が少ない方が遊技店にとっては望ましい。つまり、遊技店の効率性を追求すると遊技媒体貸出料金が、単に整数というより１０円の倍数であることの方が、１０円の倍数よりは１００円の倍数であることの方が望ましいことになる。
【００２３】
しかし、遊技客の立場では１回の遊技媒体貸出操作で貸し出される遊技媒体数が必要以上に大きな数であることは、貸出の単位で消費税の徴収がされることから、必要以上の消費税を支払うこととなり望ましいことではない。
【００２４】
図１は、消費税率が規定されている場合に、該消費税率に対して上記の遊技客間の公平性、遊技店の効率性及び１回で貸し出す遊技媒体数の適正範囲を考慮して、全ての遊技種毎の１回で貸し出す遊技媒体数の設定方法の概要を説明するものである。
【００２５】
台間カード処理機１０では、定められた消費税率と当該遊技店でサービスを提供する遊技種毎の遊技媒体貸出レートをもとに、「遊技種別貸出遊技媒体数・金額対応テーブル」を自動生成する。「遊技種別貸出遊技媒体数・金額対応テーブル」とは、遊技種毎に１回の遊技媒体貸出操作の遊技媒体貸出数と消費税込みの遊技媒体貸出料金の対応付けを表したデータである。
【００２６】
台間カード処理機１０では、「遊技種別貸出遊技媒体数・金額対応テーブル」を活用して、前述した遊技客の公平性、遊技店の効率性及び１回で貸し出す遊技媒体数の適正範囲を考慮しつつ、遊技店の従業員が簡単に遊技種毎の１回の遊技媒体貸出操作で貸し出す遊技媒体貸出数を決定するための機能を提供する。具体的には、台間カード処理機１０では、精算機８０で払い出す最低精算金種を指定したならば、「遊技種別貸出遊技媒体数・金額対応テーブル」から、指定された最低精算金種で割り切れる消費税込み遊技媒体貸出料金となる遊技媒体貸出数を抽出した「遊技種別貸出遊技媒体数候補一覧」をディスプレイ等の表示装置に表示する。従業員は、表示された「遊技種別貸出遊技媒体数候補一覧」から、１回の貸出操作で貸し出される遊技媒体数の適正範囲を考慮して、遊技媒体貸出数を選択することが可能となる。
【００２７】
台間カード処理機１０は、遊技種毎の１回の遊技媒体貸出操作で貸し出す遊技媒体貸出数を決定したならば、台間カード処理機１０に対しては決定した１回の遊技媒体貸出操作で貸し出す遊技媒体貸出数を、精算機８０に対しては最低精算金種を自動的に配信する。１回の遊技媒体貸出操作で貸し出す遊技媒体貸出数を受け付けた台間カード処理機１０は、その内容を記憶するとともに以降の遊技媒体貸出操作では配信された遊技媒体貸出数の払出を行う。また、最低精算金種を受け付けた精算機８０は、その内容を記憶するとともに、配信された最低精算金種の指定で払出用のスタッカごとの金種の設定を自動で行う等の最低精算金種による制御を行う。
【００２８】
このように、消費税率と、遊技店でサービスを提供する遊技種毎の遊技媒体貸出レートと、精算時に払出可能な最低精算金種とから、遊技種毎の貸出遊技媒体数の候補を提示し、その候補から選択させることで遊技種毎の貸出遊技媒体数を決定する。また、決定した遊技種毎の貸出遊技媒体数を遊技媒体貸出処理の制御を行う台間カード処理機１０に、決定した最低精算金種を精算処理を行う精算機８０に自動的に送付するよう構成したので、遊技客間の公平性、遊技店の効率性及び１回で貸し出す遊技媒体数の適正範囲を考慮した遊技種毎の貸出遊技媒体数を効率的に設定することが可能である。
【００２９】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００３０】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３１】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機の制御装置は、入賞領域ごとに何個の遊技玉を賞玉として付与するかを記憶する賞玉メモリを有している。
【００３２】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数の遊技玉が払い出される。
【００３３】
台間カード処理機１０は、入金の受付、遊技玉の貸出並びにカード管理装置４０との通信を行う。台間カード処理機１０は、遊技客が投入した紙幣を受け付けたならば、入金額を含む入金通知をカード管理装置４０に送信することで、プリペイド価値をカード管理装置４０が管理するプリペイド価値に加算させる。そして、所定の玉貸し操作がなされたならば、玉貸要求をカード管理装置４０に送信し、カード管理装置４０が管理するプリペイド価値を減算させて、減算したプリペイド価値分に対応する数の遊技玉を払い出す。
【００３４】
また、台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。
【００３５】
また、台間カード処理機１０は、持玉再プレイ操作を受け付けると、自装置が管理する持玉数を所定数減算し、減算した持玉数に対応する数の遊技玉を払い出す。また、台間カード処理機１０は、貯玉再プレイ操作を受け付けると、カード管理装置４０に対して貯玉再プレイ要求を送信することで、会員管理装置５０が管理する貯玉数を所定数減算させ、減算させた貯玉数に対応する数の遊技玉を払い出す。
【００３６】
台間カード処理機１０は、カード返却操作を受け付けたならば、自装置が管理する持玉数を含む持玉加算要求をカード管理装置４０に送信し、カード管理装置４０に持玉を加算させた後、カード排出通知をカード管理装置４０に送信し、カードを排出制御する。
【００３７】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００３８】
カード管理装置４０は、台間カード処理機１０からカード挿入通知を受信したならば、挿入されたカードのカードＩＤと台間カード処理機１０とを関連づけて管理し、該カードＩＤに関連づけられたプリペイド価値及び持玉の残高を台間カード処理機１０に送信する。また、カード挿入通知に示されたカードＩＤが会員カードのカードＩＤである場合には、カード挿入通知を会員管理装置５０に送信し、会員管理装置５０から受信した貯玉再プレイデータを台間カード処理機１０に送信する。
【００３９】
また、カード管理装置４０は、台間カード処理機１０から持玉減算要求を受信した場合には、持玉口座の残高をゼロにクリアし、台間カード処理機１０から持玉加算要求を受信した場合には、持玉加算要求に示された持玉数を持玉口座に加算する。
【００４０】
また、カード管理装置４０は、台間カード処理機１０から玉貸要求を受信した場合には、対応するプリペイド価値を所定値減算し、玉貸許可を台間カード処理機１０に送信する。そして、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００４１】
また、カード管理装置４０は、景品管理装置６０からカードＩＤを受信したならば、このカードＩＤに関連付けられた持玉数を景品管理装置６０に対して通知する。さらに、精算機８０からカードＩＤを受信したならば、このカードＩＤに関連付けられたプリペイド価値を精算機８０に対して通知する。
【００４２】
会員管理装置５０は、遊技店に会員登録された会員の会員管理データを管理する管理装置である。具体的には、会員に対して発行した会員カードＩＤに関連づけて、貯玉数、ポイント、暗証番号及び氏名等を管理する。
【００４３】
会員管理装置５０は、台間カード処理機１０からカード挿入通知を受信したならば、カード挿入通知に示されたカードＩＤに対応する貯玉口座の残高と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連づけられた貯玉口座の残高を所定数減算し、減算後の貯玉口座の残高を含む貯玉再プレイデータを台間カード処理機１０に送信する。なお、台間カード処理機１０と会員管理装置５０との通信は、カード管理装置４０を介して行なわれる。
【００４４】
また、会員管理装置５０は、景品管理装置６０から貯玉数の問い合わせを受けたならば、指定されたカードＩＤに対応する貯玉口座の残高を景品管理装置６０に通知する。
【００４５】
景品管理装置６０は、遊技店内の景品交換カウンタに併設された景品交換用の端末装置であり獲得玉、貯玉及び持玉の景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００４６】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４７】
図２に示したシステムで玉貸しを行う場合の玉貸処理について説明する。遊技客が台間カード処理機１０に対して玉貸操作を行うと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、玉貸要求とを含む。
【００４８】
カード管理装置４０は、玉貸要求を含む電文を受信すると、該電文内のカードＩＤに関連付けられたプリペイド価値を所定値減算してカード管理データ４５ａを更新し、玉貸許可を送信元の台間カード処理機１０に送信する。玉貸許可を受信した台間カード処理機１０は、減算したプリペイド価値に対応する数（例えば１２５玉）の遊技玉を払い出す。
【００４９】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、カード挿入通知とを含む。
【００５０】
カード管理装置４０は、台間カード処理機１０からカード挿入通知を受信した場合には、該電文内のカードＩＤに関連付けられた各レートの持玉口座の残高を台間カード処理機１０に通知する。
【００５１】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤにより特定される各レートの持玉口座の残高をゼロにクリアする。台間カード処理機１０は、持玉再プレイ操作を受け付けた場合には、記憶した持玉の残高を所定数減算し、対応する数の遊技玉を払い出す。
【００５２】
台間カード処理機１０は、カード返却操作を受け付けた場合には、カード管理装置４０に対して持玉加算要求を含む電文を送信する。この電文は、排出するカードのカードＩＤと、送信元である台間カード処理機１０を特定するアドレス若しくは任意の識別情報と、台間カード処理機１０のレートを特定するための情報と、各レートの持玉の残高と持玉加算要求とを含む。
【００５３】
カード管理装置４０は、持玉加算要求を受け付けた場合には、該電文内のカードＩＤに関連付けられた各レートの持玉口座の残高を受信した残高の値に更新する。
【００５４】
その後、台間カード処理機１０は、カード管理装置４０にカード排出通知を送信し、カードを排出制御する。
【００５５】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するアドレス若しくは任意の識別情報と、台間カード処理機１０のレートを特定するための情報と、カード挿入通知とを含む。
【００５６】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉口座のうち、該電文により特定されたレートの貯玉口座の残高とを含む貯玉再プレイデータを台間カード処理機１０に送信する。
【００５７】
台間カード処理機１０は、受信した貯玉再プレイデータを記憶し、貯玉再プレイデータに示された貯玉口座の残高が貯玉再プレイにおける遊技玉の払出単位数（貯玉再プレイ単位数。例えば１２５玉）以上である場合には貯玉再プレイ操作を受け付け可能とする。なお、ここでは、貯玉口座の残高が払出単位数以上である場合に貯玉再プレイ操作を受け付け可能とする場合について説明を行なったが、貯玉再プレイデータに貯玉再プレイ可能回数が示されているならば、貯玉再プレイ可能回数が１以上である場合に貯玉再プレイ操作を受け付け可能としてもよい。
【００５８】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００５９】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、貯玉再プレイ要求とを含む。
【００６０】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉口座のうち、該電文により特定されたレートの貯玉口座の残高を所定値減算し、減算後の残高を含む貯玉再プレイデータを台間カード処理機１０に送信する。
【００６１】
台間カード処理機１０は、貯玉再プレイデータを受信して貯玉口座の残高を更新し、遊技玉を貯玉再プレイ単位数だけ払い出す。また、更新後の貯玉口座の残高が貯玉再プレイ単位数未満となったかを判定し、貯玉再プレイ単位数未満となったならば、貯玉再プレイ操作を受け付け不能とする。更新後の貯玉口座の残高が貯玉再プレイ単位数以上であれば、再度貯玉再プレイ操作を受け付け可能であり、貯玉再プレイ操作を受け付けた場合には貯玉再プレイ要求を送信する。２回目以降の貯玉再プレイ操作では、暗証番号の確認は不要である。なお、暗証番号の確認を毎回行なうように設定してもよい。
【００６２】
次に、閉店処理における持玉からの貯玉への移行について説明する。カード管理装置４０は、閉店処理時にカード管理データ４５ａの持玉口座の残高を確認し、持玉の残高が「０」より大きい持玉口座が存在する場合には、該持玉口座の残高をカードＩＤ及びレートとともに会員管理装置５０に通知する。会員管理装置５０は、カードＩＤ及びレートにより特定される貯玉口座の残高に通知された持玉口座残高を加算して更新する。その後、カード管理装置４０は、該持玉口座の残高をゼロにクリアする。
【００６３】
次に、図２に示したカード管理装置４０の内部構成について説明する。図３は、図２に示したカード管理装置４０の内部構成を示すブロック図である。図３に示すように、カード管理装置４０は、表示部４１及び入力部４２と接続され、店舗ネットワーク通信部４４、記憶部４５及び制御部４６を有する。
【００６４】
表示部４１は、液晶パネルやディスプレイ装置等である。入力部４２は、キーボードやマウス等である。店舗ネットワーク通信部４４は、通信回線を介して台間カード処理機１０、会員管理装置５０、景品管理装置６０等とデータ通信するためのインタフェース部である。
【００６５】
記憶部４５は、ハードディスク装置や不揮発性メモリ等の記憶デバイスであり、カード管理データ４５ａ、消費税率４５ｂ、遊技種一覧データ４５ｃ、玉貸出数金額対応テーブル４５ｄ、メダル貸出数金額対応テーブル４５ｅ、最低精算金種４５ｆ、絞込済玉貸出数金額対応テーブル４５ｇ、絞込済メダル貸出数金額対応テーブル４５ｈ及び遊技媒体貸出単位数データ４５ｉを記憶する。
【００６６】
カード管理データ４５ａは、カードＩＤに対し、プリペイド価値の残高と、各レートの持玉口座の残高と、該カードが挿入されている台間カード処理機１０のＩＤを示す使用先ＩＤとを対応付けたデータである。
【００６７】
消費税率４５ｂは、消費税率を記憶している。遊技種一覧データ４５ｃは、当該遊技店でサービスを行っている遊技媒体種類とその遊技媒体種類毎の遊技媒体貸出レートの一覧のデータである。
【００６８】
玉貸出数金額対応テーブル４５ｄは、遊技種が遊技玉を使用する遊技において遊技媒体貸出レート毎に、１回の貸出操作の貸出玉数とその消費税込みの玉貸料金を、所定の範囲（例えば１０００玉以下）の２５の倍数となる全ての貸出玉数について算出したデータである。消費税込みの玉貸料金は、（貸出玉数）×（遊技媒体貸出レート）×（１＋消費税率）で算出する。貸出玉数を２５玉の倍数としているのは、遊技機２０の遊技媒体の払出単位が２５であることを考慮したものである。
【００６９】
メダル貸出数金額対応テーブル４５ｅは、遊技種がメダルを使用する遊技において遊技媒体貸出レート毎に、１回の貸出操作の貸出メダル数とその消費税込みのメダル貸料金を、所定の範囲（例えば３００枚以下）の全ての貸出メダル数について算出したデータである。消費税込みのメダル貸料金は、（貸出メダル数）×（遊技媒体貸出レート）×（１＋消費税率）で算出する。
【００７０】
最低精算金種４５ｆは、精算機８０で精算可能な最小の金種を記憶している。例えば、最低精算金種４５ｆが「１０円」と設定されている場合には、精算機８０で１円硬貨を含むような精算は不可能である。つまり、最低精算金種４５ｆに「１０円」と設定した場合には、全ての遊技種の遊技媒体の貸出操作で徴収する金額が１０円の倍数となるような貸出遊技媒体数を設定しなければならない。
【００７１】
絞込済玉貸出数金額対応テーブル４５ｇは、玉貸出数金額対応テーブル４５ｄの中から最低精算金種４５ｆの金額で割り切れる消費税込みの玉貸料金となる貸出玉数とその消費税込みの玉貸料金の組み合わせを抽出したデータである。
【００７２】
絞込済メダル貸出数金額対応テーブル４５ｈは、メダル貸出数金額対応テーブル４５ｅの中から最低精算金種４５ｆの金額で割り切れる消費税込みのメダル貸料金となる貸出メダル数とその消費税込みのメダル貸料金の組み合わせを抽出したデータである。
【００７３】
遊技媒体貸出単位数データ４５ｉは、遊技種一覧データ４５ｃに規定されている全ての遊技種で、１回の遊技媒体貸出操作で貸し出す遊技媒体の数を定義したデータである。
【００７４】
制御部４６は、カード管理装置４０を全体制御する制御部であり、カード管理部４６ａ、遊技媒体貸出数・金額対応テーブル生成処理部４６ｂ及び遊技媒体貸出単位数設定処理部４６ｃを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００７５】
カード管理部４６ａは、カード管理データ４５ａの管理を行なう処理部である。具体的には、カード管理部４６ａは、台間カード処理機１０からカード挿入通知を受信した場合には、カード挿入通知に示されたカードＩＤの使用先を、同じくカード挿入通知に示された装置ＩＤとする。また、カード挿入通知に示されたカードＩＤに関連付けられたプリペイド価値と各レートの持玉口座の残高とを有価価値として台間カード処理機１０に通知する。また、挿入されたカードが会員カードである場合には、会員管理装置５０に対してカード挿入通知を転送する。カード管理部４６ａは、台間カード処理機１０から持玉減算要求を受信した場合に、持玉減算要求に示された持玉口座の残高をゼロにクリアしてカード管理データ４５ａを更新する。
【００７６】
また、カード管理部４６ａは、台間カード処理機１０からカードＩＤを含む遊技媒体貸出要求を受信した場合に、該カードＩＤに関連付けられたプリペイド価値が、遊技媒体貸出単位数データ４５ｉに規定される遊技媒体貸出単位数と遊技媒体貸出レートと（１＋消費税率）とを乗じて算出できる遊技媒体貸出料金以上であるか否かを判定する。プリペイド価値が遊技媒体貸出料金以上である場合には、カード管理部４６ａは、カード管理データ４５ａに含まれるプリペイド価値から遊技媒体貸出料金分を減算して、台間カード処理機１０に更新後のプリペイド価値を含む遊技媒体貸出許可を送信する。一方、プリペイド価値が遊技媒体貸出料金未満である場合には、カード管理部４６ａは、台間カード処理機１０に遊技媒体貸出不可を通知する。
【００７７】
また、カード管理部４６ａは、台間カード処理機１０から金額、カードＩＤ１６ａ及び装置ＩＤ１６ｃを含む入金通知を受信した場合に、該カードＩＤ関連付けられたプリペイド価値を入金通知に示された金額に対応する度数分加算して、カード管理データ４５ａを更新する。
【００７８】
また、カード管理部４６ａは、台間カード処理機１０から貯玉再プレイ要求を受信した場合には、該貯玉再プレイ要求を会員管理装置５０に転送する。また、貯玉再プレイ要求に対する会員管理装置５０からの応答についても、カード管理部４６ａが転送制御をおこなう。
【００７９】
また、カード管理部４６ａは、持玉加算要求を受信した場合には、持玉加算要求に示された持玉口座の残高に受信した持玉数を加算して、カード管理データ４５ａを更新する。また、カード管理部４６ａは、カード排出通知を受信した場合には、該カードＩＤの使用先について値を消去し、カード管理データ４５ａを更新する。
【００８０】
また、カード管理部４６ａは、景品管理装置６０からカードＩＤを受信したならば、このカードＩＤに対応づけられた各レートの持玉口座の残高を景品管理装置６０に対して通知する。
【００８１】
遊技媒体貸出数・金額対応テーブル生成処理部４６ｂは、消費税率４５ｂと遊技種一覧データ４５ｃとから、玉貸出数金額対応テーブル４５ｄ及びメダル貸出数金額対応テーブル４５ｅを生成する処理部である。具体的には、玉貸出数金額対応テーブル４５ｄは、遊技種一覧データ４５ｃに規定されている遊技玉を使用する遊技の全ての遊技媒体貸出レートの遊技について、１回の貸出操作の貸出玉数とその消費税込みの玉貸料金を、所定の範囲（例えば１０００玉以下）の２５の倍数となる全ての貸出玉数について算出して生成する。メダル貸出数金額対応テーブル４５ｅは、遊技種一覧データ４５ｃに規定されているメダルを使用する遊技の全ての遊技媒体貸出レートの遊技について、１回の貸出操作の貸出メダル数とその消費税込みのメダル貸料金を、所定の範囲（例えば３００枚以下）の全ての貸出メダル数について算出して生成する。
【００８２】
遊技媒体貸出単位数設定処理部４６ｃは、遊技媒体貸出数・金額対応テーブル生成処理部４６ｂの生成した玉貸出数金額対応テーブル４５ｄ及びメダル貸出数金額対応テーブル４５ｅを活用して、遊技媒体貸出単位数データ４５ｉを決定する処理である。また、遊技媒体貸出単位数設定処理部４６ｃは、決定した遊技媒体貸出単位数データ４５ｉの内容を台間カード処理機１０に、最低精算金種４５ｆの内容を精算機８０に配信する。遊技媒体貸出単位数データ４５ｉの決定に係る具体的な処理内容は後述する。
【００８３】
次に、図３に示したカード管理装置４０の実施例１に係るデータ構成について説明する。図４及び図５は、図３に示したカード管理装置４０の実施例１に係るデータ構成について説明するための説明図である。
【００８４】
まず、図４に示した遊技種一覧データ４５ｃ、玉貸出数金額対応テーブル４５ｄ及びメダル貸出数金額対応テーブル４５ｅについて説明する。
【００８５】
遊技種一覧データ４５ｃは、当該遊技店でサービスを提供している遊技の遊技媒体種類とその遊技媒体種類毎の遊技媒体貸出レートの一覧のデータである。図４の遊技種一覧データ４５ｃは、当該遊技店のサービス対象の遊技に、遊技媒体種類が「遊技玉」で遊技媒体貸出レートが「４．０円／玉」の遊技と、遊技媒体種類が「遊技玉」で遊技媒体貸出レートが「３．０円／玉」の遊技と、遊技媒体種類が「メダル」で遊技媒体貸出レートが「２０円／玉」の遊技と、遊技媒体種類が「メダル」で遊技媒体貸出レートが「１５円／玉」の遊技とが含まれていることを示している。
【００８６】
玉貸出数金額対応テーブル４５ｄは、遊技種一覧データ４５ｃに規定される遊技の中で遊技玉を使用する遊技種の全ての遊技媒体貸出レート毎に、１回の貸出操作の貸出玉数と消費税率を８％とした時の消費税込みの玉貸料金を算出したデータである。図４の玉貸出数金額対応テーブル４５ｄは、貸出玉数について２５玉を１貸出度数としたときの貸出度数と遊技媒体貸出レート毎の貸出金額を対応付けたデータであり、貸出度数を「１」で貸出玉数が「２５玉」の時の遊技媒体貸出料金は、遊技媒体貸出レートが０．５円／玉の場合は「１３．５０円」、遊技媒体貸出レートが１．０円／玉の場合は「２７．００円」、遊技媒体貸出レートが１．６円／玉の場合は「４３．２０円」、遊技媒体貸出レートが２．０円／玉の場合は「５４．００円」、遊技媒体貸出レートが２．５円／玉の場合は「６７．５０円」、遊技媒体貸出レートが３．０円／玉の場合は「８１．００円」、遊技媒体貸出レートが４．０円／玉の場合は「１０８．００円」であることを示している。また、図４に示す玉貸出数金額対応テーブル４５ｄは、貸出度数が２〜１０度数についても、（貸出玉数）×（遊技媒体貸出レート）×（１＋消費税率）で算出した遊技媒体貸出レート毎の貸出金額を記載したものである。
【００８７】
メダル貸出数金額対応テーブル４５ｅは、遊技種一覧データ４５ｃに規定される遊技の中でメダルを使用する遊技種の全ての遊技媒体貸出レート毎に、１回の貸出操作の貸出枚数と消費税率を８％とした時の消費税込みのメダル貸料金を算出したデータである。図４のメダル貸出数金額対応テーブル４５ｅは、貸出枚数と遊技媒体貸出レート毎の貸出金額を対応付けたデータであり、貸出枚数が「１枚」の時の遊技媒体貸出料金は、遊技媒体貸出レートが１円の場合は「１．０８円」、遊技媒体貸出レートが２円の場合は「２．１６円」、遊技媒体貸出レートが５円の場合は「５．４０円」、遊技媒体貸出レートが１０円の場合は「１０．８０円」、遊技媒体貸出レートが１５円の場合は「１６．２０円」、遊技媒体貸出レートが２０円の場合は「２１．６０円」であることを示している。また、図４に示すメダル貸出数金額対応テーブル４５ｅは、貸出枚数が２〜１０枚についても、（貸出枚数）×（遊技媒体貸出レート）×（１＋消費税率）で算出した遊技媒体貸出レート毎の貸出金額を記載したものである。
【００８８】
次に、図５に示した絞込済玉貸出数金額対応テーブル４５ｇ、絞込済メダル貸出数金額対応テーブル４５ｈ及び遊技媒体貸出単位数データ４５ｉについて説明する。
【００８９】
絞込済玉貸出数金額対応テーブル４５ｇは、データ構造は玉貸出数金額対応テーブル４５ｄと同じであり、含まれるデータは、玉貸出数金額対応テーブル４５ｄの中から最低精算金種４５ｆの金額で割り切れる消費税込みの玉貸料金となる貸出玉数とその消費税込みの玉貸料金の組み合わせを抽出したデータである。図５の絞込済玉貸出数金額対応テーブル４５ｇは、最低精算金種４５ｆが「１円」である場合であって、貸出度数を「１」で貸出玉数が「２５玉」の時の遊技媒体貸出料金は、遊技媒体貸出レートが０．５円／玉の場合は「×」、遊技媒体貸出レートが１．０円／玉の場合は「２７．００円」、遊技媒体貸出レートが１．６円／玉の場合は「×」、遊技媒体貸出レートが２．０円／玉の場合は「５４．００円」、遊技媒体貸出レートが２．５円／玉の場合は「×」、遊技媒体貸出レートが３．０円／玉の場合は「８１．００円」、遊技媒体貸出レートが４．０円／玉の場合は「１０８．００円」であることを示している。遊技媒体貸出料金が「×」は、当該度数の遊技媒体貸出料金が最低精算金種４５ｆの金額で割り切れないことを示している。また、図５の絞込済玉貸出数金額対応テーブル４５ｇは、貸出度数が２〜１０度数についても、玉貸出数金額対応テーブル４５ｄの遊技媒体貸出料金が最低精算金種４５ｆの金額で割り切れない部分を「×」に置き換えたものとなっている。
【００９０】
絞込済メダル貸出数金額対応テーブル４５ｈは、データ構造はメダル貸出数金額対応テーブル４５ｅと同じであり、含まれるデータは、メダル貸出数金額対応テーブル４５ｅの中から最低精算金種４５ｆの金額で割り切れる消費税込みのメダル貸料金となる貸出メダル数とその消費税込みのメダル貸料金の組み合わせを抽出したデータである。図５の絞込済メダル貸出数金額対応テーブル４５ｈは、最低精算金種４５ｆが「１円」である場合であって、貸出枚数が「５枚」の時の遊技媒体貸出料金は、遊技媒体貸出レートが１円の場合は「×」、遊技媒体貸出レートが２円の場合は「×」、遊技媒体貸出レートが５円の場合は「２７．００円」、遊技媒体貸出レートが１０円の場合は「５４．００円」、遊技媒体貸出レートが１５円の場合は「８１．００円」、遊技媒体貸出レートが２０円の場合は「１０８．００円」であることを示している。遊技媒体貸出料金が「×」は、当該枚数の遊技媒体貸出料金が最低精算金種４５ｆの金額で割り切れないことを示している。また、図５の絞込済メダル貸出数金額対応テーブル４５ｈは、貸出枚数が１０枚、１５枚、２０枚、２５枚、３０枚、３５枚、４０枚、４５枚及び５０枚の場合についても、メダル貸出数金額対応テーブル４５ｅの遊技媒体貸出料金が最低精算金種４５ｆの金額で割り切れない部分を「×」に置き換えたものとなっている。なお、貸出枚数が１〜４枚のレコード等が存在しないのは、貸出枚数が１〜４枚の時は全ての遊技媒体貸出レートの遊技媒体貸出料金が最低精算金種４５ｆの金額で割り切れないことからレコード自体が存在しないためである。
【００９１】
遊技媒体貸出単位数データ４５ｉは、全ての遊技種に対して遊技媒体貸出単位数の対応付けを規定したデータである。図５の遊技媒体貸出単位数データ４５ｉは、最低精算金種４５ｆが「１円」である場合の例であって、図５の絞込済玉貸出数金額対応テーブル４５ｇと絞込済メダル貸出数金額対応テーブル４５ｈの太枠で囲んだ部分が示す内容を集約したものとなっている。図５の遊技媒体貸出単位数データ４５ｉは、遊技媒体種類が「遊技玉」で遊技媒体貸出レートが「４．０円／玉」の遊技媒体貸出単位数が「１２５玉」で、遊技媒体種類が「遊技玉」で遊技媒体貸出レートが「３．０円／玉」の遊技媒体貸出単位数が「１２５玉」で、遊技媒体種類が「遊技玉」で遊技媒体貸出レートが「２．５円／玉」の遊技媒体貸出単位数が「１５０玉」で、遊技媒体種類が「遊技玉」で遊技媒体貸出レートが「２．０円／玉」の遊技媒体貸出単位数が「１５０玉」で、遊技媒体種類が「遊技玉」で遊技媒体貸出レートが「１．６円／玉」の遊技媒体貸出単位数が「１２５玉」で、遊技媒体種類が「遊技玉」で遊技媒体貸出レートが「１．０円／玉」の遊技媒体貸出単位数が「１２５玉」で、遊技媒体種類が「遊技玉」で遊技媒体貸出レートが「０．５円／玉」の遊技媒体貸出単位数が「１５０玉」であることを示している。また、図５の遊技媒体貸出単位数データ４５ｉは、遊技媒体種類が「メダル」で遊技媒体貸出レートが「２０円／枚」の遊技媒体貸出単位数が「２０枚」で、遊技媒体種類が「メダル」で遊技媒体貸出レートが「１５円／枚」の遊技媒体貸出単位数が「３０枚」で、遊技媒体種類が「メダル」で遊技媒体貸出レートが「１０円／枚」の遊技媒体貸出単位数が「３０枚」で、遊技媒体種類が「メダル」で遊技媒体貸出レートが「５円／枚」の遊技媒体貸出単位数が「３０枚」で、遊技媒体種類が「メダル」で遊技媒体貸出レートが「２円／枚」の遊技媒体貸出単位数が「５０枚」で、遊技媒体種類が「メダル」で遊技媒体貸出レートが「１円／枚」の遊技媒体貸出単位数が「５０枚」であることを示している。
【００９２】
次に、図５に示したカード管理装置４０のデータについて最低精算金種４５ｆを１０円とした時のデータ内容及び設定値を説明する。図６は、カード管理装置４０のデータについて最低精算金種４５ｆを１０円とした時のデータ内容及び設定値を説明するための説明図である。
【００９３】
図６の絞込済玉貸出数金額対応テーブル４５ｇは、最低精算金種４５ｆが「１０円」である場合であって、貸出度数を「４」で貸出玉数が「１００玉」の時の遊技媒体貸出料金は、遊技媒体貸出レートが０．５円／玉の場合は「×」、遊技媒体貸出レートが１．０円／玉の場合は「×」、遊技媒体貸出レートが１．６円／玉の場合は「×」、遊技媒体貸出レートが２．０円／玉の場合は「×」、遊技媒体貸出レートが２．５円／玉の場合は「２７０．００」、遊技媒体貸出レートが３．０円／玉の場合は「×」、遊技媒体貸出レートが４．０円／玉の場合は「×」であることを示している。また、図６の絞込済玉貸出数金額対応テーブル４５ｇは、貸出度数が５度数、８度数、１０度数、１２度数、１５度数、１６度数、２０度数、２４度数及び２５度数についても、玉貸出数金額対応テーブル４５ｄの遊技媒体貸出料金が最低精算金種４５ｆの「１０円」で割り切れない部分を「×」に置き換えたものとなっている。なお、貸出度数で抜けているのは、抜けている貸出度数の時は全ての遊技媒体貸出レートの遊技媒体貸出料金が最低精算金種４５ｆの「１０円」で割り切れないことからレコード自体が存在しないためである。
【００９４】
図６の絞込済メダル貸出数金額対応テーブル４５ｈは、最低精算金種４５ｆが「１０円」である場合であって、貸出枚数が「２５枚」の時の遊技媒体貸出料金は、遊技媒体貸出レートが１円の場合は「×」、遊技媒体貸出レートが２円の場合は「×」、遊技媒体貸出レートが５円の場合は「×」、遊技媒体貸出レートが１０円の場合は「２７０．００円」、遊技媒体貸出レートが１５円の場合は「×」、遊技媒体貸出レートが２０円の場合は「５４０．００円」であることを示している。また、図５の絞込済メダル貸出数金額対応テーブル４５ｈは、貸出枚数が５０枚、７５枚、１００枚、１２５枚、１５０枚、１７５枚、２００枚、２２５枚及び２５０枚の場合についても、メダル貸出数金額対応テーブル４５ｅの遊技媒体貸出料金が最低精算金種４５ｆの「１０円」で割り切れない部分を「×」に置き換えたものとなっている。なお、貸出枚数で抜けているのは、抜けている貸出枚数の時は全ての遊技媒体貸出レートの遊技媒体貸出料金が最低精算金種４５ｆの「１０円」で割り切れないことからレコード自体が存在しないためである。
【００９５】
図６の遊技媒体貸出単位数データ４５ｉは、最低精算金種４５ｆが「１０円」である場合の例であって、図６の絞込済玉貸出数金額対応テーブル４５ｇと絞込済メダル貸出数金額対応テーブル４５ｈの太枠で囲んだ部分が示す内容を集約したものとなっている。図６の遊技媒体貸出単位数データ４５ｉは、遊技媒体種類が「遊技玉」で遊技媒体貸出レートが「４．０円／玉」の遊技媒体貸出単位数が「１２５玉」で、遊技媒体種類が「遊技玉」で遊技媒体貸出レートが「３．０円／玉」の遊技媒体貸出単位数が「２５０玉」で、遊技媒体種類が「遊技玉」で遊技媒体貸出レートが「２．５円／玉」の遊技媒体貸出単位数が「１００玉」で、遊技媒体種類が「遊技玉」で遊技媒体貸出レートが「２．０円／玉」の遊技媒体貸出単位数が「１２５玉」で、遊技媒体種類が「遊技玉」で遊技媒体貸出レートが「１．６円／玉」の遊技媒体貸出単位数が「６２５玉」で、遊技媒体種類が「遊技玉」で遊技媒体貸出レートが「１．０円／玉」の遊技媒体貸出単位数が「２５０玉」で、遊技媒体種類が「遊技玉」で遊技媒体貸出レートが「０．５円／玉」の遊技媒体貸出単位数が「５００玉」であることを示している。また、図６の遊技媒体貸出単位数データ４５ｉは、遊技媒体種類が「メダル」で遊技媒体貸出レートが「２０円／枚」の遊技媒体貸出単位数が「２５枚」で、遊技媒体種類が「メダル」で遊技媒体貸出レートが「１５円／枚」の遊技媒体貸出単位数が「５０枚」で、遊技媒体種類が「メダル」で遊技媒体貸出レートが「１０円／枚」の遊技媒体貸出単位数が「２５枚」で、遊技媒体種類が「メダル」で遊技媒体貸出レートが「５円／枚」の遊技媒体貸出単位数が「５０枚」で、遊技媒体種類が「メダル」で遊技媒体貸出レートが「２円／枚」の遊技媒体貸出単位数が「１２５枚」で、遊技媒体種類が「メダル」で遊技媒体貸出レートが「１円／枚」の遊技媒体貸出単位数が「２５０枚」であることを示している。
【００９６】
次に、図３に示したカード管理装置４０の遊技媒体貸出単位数データ４５ｉの設定画面を説明する。図７は、図３に示したカード管理装置４０の遊技媒体貸出単位数データ４５ｉの設定画面を説明するための画面概要図である。
【００９７】
カード管理装置４０の遊技媒体貸出単位数設定処理部４６ｃは、表示部４１に図７に示す遊技媒体貸出単位数データ４５ｉの設定用の画面を表示して、従業員が画面上で簡単に遊技媒体貸出単位数データ４５ｉの設定を行うことのできる手段を提供する。
【００９８】
画面の左側半分が操作領域であり、入力部４２のキーボードやマウスによる操作を行う領域である。画面の右側半分が設定値表示領域であり、過去に設定して遊技媒体貸出単位数データ４５ｉに記憶されている現状設定値若しくは本画面で変更を指定した設定予定値を表示している。設定値表示領域の最下段の「設定」ボタンを押下すると、本画面の設定値表示領域に表示されている内容を遊技媒体貸出単位数データ４５ｉに反映させる。
【００９９】
まず、画面の左側半分の操作領域について説明する。操作領域は、最低精算金種選択フィールド、遊技種指定フィールド及び遊技媒体貸出単位選択領域を有する。
【０１００】
最低精算金種選択フィールドは、最低精算金種４５ｆを指定するためのフィールドであり、プルダウンから１円、１０円、１００円等の金種の指定が可能である。本画面表示時には最低精算金種選択フィールドには現状設定値の最低精算金種４５ｆが表示され、設定値表示領域の最低精算金種のフィールドも同じ値が表示される。最低精算金額の値を変更すると、変更された最低精算金種と玉貸出数金額対応テーブル４５ｄとメダル貸出数金額対応テーブル４５ｅとから、絞込済玉貸出数金額対応テーブル４５ｇと絞込済メダル貸出数金額対応テーブル４５ｈを生成する。また、最低精算金額の値を変更すると設定値表示領域の最低精算金種の表示内容を更新するとともに、遊技種別遊技媒体貸出単位数に表示されている媒体数や金額の設定値はクリアされる。図７は、最低精算金額に「１０円」が選択されている例を示す。
【０１０１】
遊技種指定フィールドは、設定する遊技媒体払出単位の対象の遊技媒体種類及び遊技媒体貸出レートを選択するためのフィールドである。遊技種指定フィールドは、遊技種一覧データ４５ｃに設定された値からの選択入力が可能であり、プルダウンにより選択可能な遊技媒体種類及び遊技媒体貸出レートが表示される。図７は、遊技媒体種類種が「遊技玉」で遊技媒体貸出レートが「２円」が選択されている例を示す。
【０１０２】
最低精算金種選択フィールドで最低精算金種が指定され、遊技種指定フィールドで遊技媒体種類及び遊技媒体貸出レートが指定されると、遊技媒体貸出単位選択領域には、指定した遊技種の遊技に関して、貸出遊技媒体数と税込みの遊技媒体貸出料金の中で、指定した最低精算金種で割り切れる遊技媒体貸出料金となる組み合わせを表示する。具体的には、絞込済玉貸出数金額対応テーブル４５ｇ若しくは絞込済メダル貸出数金額対応テーブル４５ｈの中の、遊技種指定フィールドで指定された遊技の貸出遊技媒体数と該遊技媒体数に対応する遊技媒体貸出料金の組み合わせを、貸出遊技媒体数の昇順に表示する。
【０１０３】
また、遊技媒体貸出単位選択領域に、候補となる貸出遊技媒体数と遊技媒体貸出料金の組合せが画面に表示しきれない場合にはスクロールにより、他の候補の貸出遊技媒体数と遊技媒体貸出料金の組合せの表示を行うことが可能である。また、従業員は当該遊技媒体貸出単位選択領域に表示する貸出媒体数と遊技媒体貸出料金の候補から、当該遊技媒体貸出単位選択領域の最右列の択一のチェックボックスをチェックすることにより、当該遊技種に対する遊技媒体貸出数を決定する。該チェックボックスのいずれかを選択したうえで、「ＯＫ」ボタンを押下することにより画面の右半分に位置する設定値表示領域に反映する。図７は、貸出遊技媒体数が１２５玉で遊技媒体貸出料金が２７０円を選択されて、「ＯＫ」ボタンの押下により設定値表示領域に反映されている例を示す。
【０１０４】
次に、画面の右半分の設定値表示領域について説明する。設定値表示領域は、「最低精算金種」と「遊技種別遊技媒体貸出単位数」の表示領域を有し、「遊技種別遊技媒体貸出単位数」の表示領域は遊技種毎に１回の遊技媒体貸出操作によって貸し出される遊技媒体数と金額の、現状設定値若しくは操作領域で指定した設定予定値を表示する。図７の設定値表示領域の表示内容は、最低精算金種が「１０円」、遊技種毎の遊技媒体の貸出しは、遊技媒体種類が「遊技玉」の「４円」レートが「１２５」玉を消費税込「５４０」円で、３円レートが「２５０」玉を消費税込「８１０」円、「２．５円」レートが「１００」玉を消費税込「２７０」円、「２」円レートが「１２５」玉を消費税込「２７０」円とすることを示している。図７の設定値表示領域の表示内容は、パチンコの他の遊技媒体貸出レートや遊技媒体種類が「メダル」の遊技については貸出遊技媒体数も遊技媒体貸出料金も「−」であり未設定であることを示している。
【０１０５】
次に、図２に示した台間カード処理機１０の外観構成について説明する。図８は、図２に示した台間カード処理機１０の外観構成を示す図である。なお、図８には、遊技機２０に接続された台間カード処理機１０の外観構成を台間カード処理機１０として示している。また、併設される遊技機は、破線で図示している。また、図８では、紙幣のみを受け付ける台間カード処理機１０を図示したが、電子マネー、硬貨などの受付機能を設けることもできる。
【０１０６】
図８に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１４ａと、携帯端末等をかざすためのかざし部１４ｂと、遊技玉を遊技機２０に投出するノズルユニット１８ａと、遊技機２０の下皿から落下させた遊技玉を計数する計数ユニット１８ｂとを有する。
【０１０７】
次に、図２に示した台間カード処理機１０の内部構成について説明する。図９は、図２に示した台間カード処理機１０の内部構成を示すブロック図である。図９に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【０１０８】
紙幣搬送部１２は、紙幣挿入口１２ａから挿入された紙幣の金種及び真偽を判別しつつ図示しない紙幣収納部に搬送する搬送部である。表示操作部１３は、有価価値等の各種情報の表示と、玉貸し操作等の各種操作の受け付けを行なうタッチパネルディスプレイ等の入出力装置である。
【０１０９】
リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。かざし部１４ｂは、携帯端末等がかざされた場合に、近距離無線通信によりカードＩＤ等の各種情報を読み取るインタフェースである。
【０１１０】
通信部１５は、遊技機２０及び通信回線との間のデータ通信を行なうためのインタフェース部である。ノズルユニット１８ａは、玉貸し又は再プレイにより遊技玉を払い出す際に、その一部又は全ての払い出しに使用される。計数ユニット１８ｂは、遊技玉を計数するユニットである。
【０１１１】
記憶部１６は、ハードディスク装置や不揮発性メモリ等からなる記憶デバイスである。記憶部１６は、カードＩＤ１６ａ、有価価値データ１６ｂ、装置ＩＤ１６ｃ及び遊技設定データ１６ｄを記憶する。
【０１１２】
カードＩＤ１６ａは、リーダライタ１４により読み取られたカードＩＤである。カード挿入口１４ａから図示しないカード収納部にカードが搬送される場合には、この搬送途中でリーダライタ１４により読み取られたカードＩＤによってカードＩＤ１６ａが更新される。また、カードが挿入されていない状態で入金が行なわれたならば、図示しないカード収納部からリーダライタ１４にカードが搬送され、リーダライタ１４により読み取られたカードＩＤによってカードＩＤ１６ａが更新される。なお、本実施例ではカードが挿入されていない状態の入金操作で、図示しないカード収納部からリーダライタ１４にカードが搬送され、リーダライタ１４により読み取られたカードＩＤによってカードＩＤ１６ａが更新されるとしたが、これに限定するものではない。最後にカードが排出された時に、図示しないカード収納部の一番上にあるカードをリーダライタ１４に搬送して、カードＩＤを読み取って記憶しておくことによって、遊技客によるカード挿入がされていない状態で入金された場合には、記憶しているカードＩＤでカードＩＤ１６ａを更新するものとしてもよい。
【０１１３】
有価価値データ１６ｂは、遊技玉の払い出しを受けるために使用可能な有価価値を示すデータである。この有価価値には、玉貸しに使用可能なプリペイド価値の残高、持玉口座の残高、貯玉再プレイ用の暗証番号並びに貯玉口座の残高を含む。
【０１１４】
装置ＩＤ１６ｃは、台間カード処理機１０を遊技店内で一意に識別するための識別情報である。遊技設定データ１６ｄは、遊技媒体種類、遊技媒体貸出レート、１回の遊技媒体貸出操作における貸出遊技媒体数及び遊技媒体貸出料金を示すデータである。また、遊技設定データ１６ｄに設定されている貸出遊技媒体数及び遊技媒体貸出料金は、遊技客の操作によって、表示操作部１３に、例えば「１回の玉貸操作で１２５玉出ます」のように設定内容の表示を行うことが可能である。
【０１１５】
制御部１７は、台間カード処理機１０を全体制御する制御部であり、データ管理部１７ａ、計数処理部１７ｂ、遊技設定受付部１７ｃ及び貸出処理部１７ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【０１１６】
データ管理部１７ａは、カードが挿入された場合に、カードＩＤ１６ａ及び装置ＩＤ１６ｃを含むカード挿入通知をカード管理装置４０に送信する。また、データ管理部１７ａは、カード管理装置４０から有価価値（プリペイド価値、持玉及び貯玉の少なくともいずれか）を含むデータを受信した場合に、受信した有価価値により有価価値データ１６ｂを更新する。データ管理部１７ａは、有価価値データ１６ｂに示されたプリペイド価値、持玉及び貯玉の値を適宜表示操作部１３に表示制御する。
【０１１７】
また、データ管理部１７ａは、遊技客により持玉再プレイ操作が行なわれた場合に、有価価値データ１６ｂに示された持玉口座の残高を所定数減算し、対応する数の遊技玉を払い出す。
【０１１８】
また、データ管理部１７ａは、有価価値データ１６ｂに示された貯玉口座の残高が貯玉再プレイ単位数以上である場合には、表示操作部１３に貯玉再プレイボタンを表示し、貯玉再プレイ操作を受け付け可能とする。データ管理部１７ａは、遊技客により貯玉再プレイ操作が行なわれた場合に、カードＩＤ１６ａ及び装置ＩＤ１６ｃを含む貯玉再プレイ要求をカード管理装置４０に送信する。この貯玉再プレイ要求への応答として貯玉再プレイデータを受信したならば、貯玉口座の残高を更新し、貯玉再プレイ単位数の遊技玉を払い出す。なお、初回の貯玉再プレイ操作時には、暗証番号の入力を求め、有価価値データ１６ｂに示された暗証番号と一致することを貯玉再プレイ要求を送信するための条件とする。
【０１１９】
また、データ管理部１７ａは、遊技客によりカード返却操作が行なわれた場合に、カードＩＤ１６ａ、装置ＩＤ１６ｃ並びに持玉数を含む持玉加算要求をカード管理装置４０に送信して、自装置持玉口座の残高をゼロにクリアした後、カード排出通知をカード管理装置４０に送信し、カードを排出する。
【０１２０】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【０１２１】
計数処理部１７ｂは、計数ユニット１８ｂに遊技玉が投入された場合に、計数ユニット１８ｂに遊技玉の計数を行わせ、計数結果を有価価値データ１６ｂの持玉数に加算する処理を行なう。
【０１２２】
遊技設定受付部１７ｃは、カード管理装置４０から配信される遊技設定データ更新要求を受け付けて、遊技設定データ更新要求に含まれる遊技媒体貸出レート、１回の遊技媒体貸出操作で貸し出される遊技媒体数及び遊技媒体貸出料金を、遊技設定データ１６ｄに記憶する。
【０１２３】
貸出処理部１７ｄは、遊技客により遊技媒体の貸出操作が行なわれた場合に、カードＩＤ１６ａ及び装置ＩＤ１６ｃを含む遊技媒体貸出要求をカード管理装置４０に送信する。この遊技媒体貸出要求の応答として遊技媒体貸出許可を受信したならば、貸出処理部１７ｄは、有価価値データ１６ｂのプリペイド価値から遊技設定データ１６ｄに記憶されている遊技媒体貸出料金を減算し、遊技設定データ１６ｄに記憶されている１回の遊技媒体貸出操作で貸し出される遊技媒体数の払い出しを実施する。
【０１２４】
次に、図９に示した台間カード処理機１０の実施例１に係るデータ構成について説明する。図１０は、図９に示した台間カード処理機１０の実施例１に係るデータ構成について説明するための説明図である。
【０１２５】
遊技設定データ１６ｄは、当該台間カード処理機１０に対応する遊技機２０で使用する遊技媒体種類と、遊技媒体貸出レートと、１回の遊技媒体貸出操作で貸し出される貸出遊技媒体数と、該貸出遊技媒体数の貸出に対応する遊技媒体貸出料金とを有している。図１０の遊技設定データ１６ｄは、遊技媒体種類が「遊技玉」、遊技媒体貸出レートが「４円」、貸出遊技媒体数が「１２５玉」及び遊技媒体貸出料金が「５４０円」であることを示す。
【０１２６】
上述してきたように、本実施例１では、消費税率と、遊技店で提供する遊技種毎の遊技媒体貸出レートと、精算時に払出可能な最低精算金種とから、遊技種毎の貸出遊技媒体数の候補を提示し、その候補から選択させることで遊技種毎の貸出遊技媒体数を決定する。また、本実施例１では、決定した遊技種毎の貸出遊技媒体数を遊技媒体貸出処理の制御を行う台間カード処理機１０に、決定した最低精算金種を精算処理を行う精算機８０に自動的に送付するよう構成したので、遊技店の遊技媒体の貸出時の消費税を遊技客から徴収するにあたって遊技客の公平性と満足度の確保及び店舗従業員の負荷抑制を実現することができる。
【実施例２】
【０１２７】
ところで、遊技店において遊技媒体の貸出に必要な入金処理は紙幣で行われているのが一般的である。上述の実施例１で示した設定値の例では、図５及び図６に示したように千円、５千円、１万円の入金した金額を余りなく使い切るような設定は困難である。また、図５の遊技媒体貸出レートが４円／玉の例では、千円を入金した場合には１回の遊技媒体貸出操作により遊技媒体貸出料金の５４０円が差し引かれて残額が４６０円となり、使えない半端な金額として残ってしまう。実施例２では、最低精算金種を考慮しつつ、このようにプリペイド価値が遊技媒体貸出料金に満たない半端な金額の場合に遊技媒体の貸出を行う方法について説明する。
【０１２８】
実施例１で説明した方法で設定された１回の遊技媒体貸出操作で貸し出される遊技媒体貸出玉数及びこれに対応する遊技媒体貸出料金で運用した場合には、プリペイド価値がこの遊技媒体貸出料金未満の金額になってしまった場合には、遊技媒体の貸出しを受けられなかった。しかしながら、設定されている遊技媒体貸出玉数での遊技媒体貸出料金が、指定されている最低精算金種と消費税込みの遊技媒体貸出レートとの最小公倍数でない場合には、前記の最小公倍数での遊技媒体の貸出を許容することによって、指定されている最低精算金種の条件を満たしつつ、残されているプリペイド価値で最大限の遊技媒体の貸出をすることができる。
【０１２９】
また、実施例１では遊技媒体種類が遊技玉の場合には遊技機２０からの払出が２５玉単位であることを理由に、遊技媒体の貸出は２５玉を１単位としていた。しかし、台間カード処理機１１０から１玉単位での払出が可能である場合、貸出数が２５の倍数ではない場合には台間カード処理機１１０からの遊技媒体の払出を行うとすることによって、遊技媒体種類が遊技玉の場合においても、２５玉単位でなければ貸し出せないという制限を排除することが可能である。
【０１３０】
実施例２では、遊技媒体種類が遊技玉で台間カード処理機１１０から１玉単位での払出が可能である場合には、台間カード処理機１１０から２５玉単位ではない遊技媒体の貸出しを実施することとする。また、台間カード処理機１１０から１玉単位での払出が可能である場合、実施例２では、通常の遊技媒体貸出処理に加えて、プリペイド価値の残高が通常の遊技媒体貸出料金未満になってしまった場合には、最低精算金種と消費税込みの遊技媒体貸出レートとの最小公倍数を最小遊技媒体貸出単位の貸出料金とする遊技媒体の端数貸出を行えるようにすることによって、同一のプリペイド価値で最大限の遊技媒体の貸出をすることを可能とする。台間カード処理機１１０の１玉単位での払出の可否は、その機種やオプション構成に依存し、当該台間カード処理機１１０の設置時に「１玉単位での払出の可否」を設定する。若しくは、機種やオプション構成が検知できる場合には、「１玉単位での払出の可否」を自動で切り換えても良い。以下の実施例２では、１玉単位での払出の可能な台間カード処理機１１０で構成されていて、「１玉単位での払出の可否」に「可」の設定されているケースにおける説明を行う。
【０１３１】
まず、カード管理装置１４０の実施例２に係る内部構成を説明する。図１１は、カード管理装置１４０の実施例２に係る内部構成を示すブロック図である。また、図１１に示すカード管理装置１４０の内部構成では、実施例１で説明したカード管理装置４０と同じ部分については実施例１のカード管理装置４０と同じ符号をつけ、同じ部分の説明は省略して変更になっている部分を中心に説明する。
【０１３２】
記憶部４５の中では、遊技媒体貸出単位数データ１４５ｉに含まれる情報が変更となっており、端数用玉貸出数金額対応テーブル１４５ｊ及び絞込済端数用玉貸出数金額対応テーブル１４５ｋが追加となっている。
【０１３３】
端数用玉貸出数金額対応テーブル１４５ｊは、遊技媒体種類が遊技玉を使用する遊技において遊技媒体貸出レート毎に、貸出操作の貸出玉数とその消費税込みの玉貸料金を、所定の範囲（例えば１０００玉以下）の全ての貸出玉数について算出したデータである。消費税込みの玉貸料金は、（貸出玉数）×（遊技媒体貸出レート）×（１＋消費税率）で算出する。
【０１３４】
絞込済端数用玉貸出数金額対応テーブル１４５ｋは、端数用玉貸出数金額対応テーブル１４５ｊの中から最低精算金種４５ｆの金額で割り切れる消費税込みの玉貸料金となる貸出玉数とその消費税込みの玉貸料金の組み合わせを抽出したデータである。
【０１３５】
遊技媒体貸出単位数データ１４５ｉは、遊技種一覧データ４５ｃに規定されている全ての遊技種について、プリペイド価値が十分にある場合の通常の１回の遊技媒体貸出操作で貸し出す遊技媒体貸出単位数と、プリペイド価値の残高が通常の遊技媒体貸出料金未満の場合の遊技媒体の端数貸出の最小遊技媒体貸出単位数を定義したデータである。本テーブルの生成方法については後述する。
【０１３６】
制御部４６の中では、カード管理部１４６ａ、遊技媒体貸出数・金額対応テーブル生成処理部１４６ｂ及び遊技媒体貸出単位数設定処理部１４６ｃが実施例１のカード管理部４６ａ、遊技媒体貸出数・金額対応テーブル生成処理部４６ｂ及び遊技媒体貸出単位数設定処理部４６ｃから変更となっている。
【０１３７】
カード管理部１４６ａの処理内容の変更部分は、遊技媒体貸出処理に関する部分である。カード管理部１４６ａは、台間カード処理機１１０からカードＩＤを含む遊技媒体貸出要求を受信した場合に、該カードＩＤに関連付けられたプリペイド価値が、遊技媒体貸出単位数データ１４５ｉに規定される通常貸出の遊技媒体貸出単位数と遊技媒体貸出レートと（１＋消費税率）とを乗じて算出できる通常貸出の遊技媒体貸出料金以上であるか否かを判定する。プリペイド価値が通常貸出の遊技媒体貸出料金以上である場合には、カード管理部１４６ａは、カード管理データ４５ａに含まれるプリペイド価値から遊技媒体貸出料金分を減算して、台間カード処理機１１０に更新後のプリペイド価値を含む通常遊技媒体貸出許可を送信する。
【０１３８】
一方、プリペイド価値が通常貸出の遊技媒体貸出料金未満である場合には、カード管理部１４６ａは、該カードＩＤに関連付けられたプリペイド価値が、遊技媒体貸出単位数データ１４５ｉに規定される端数貸出の遊技媒体貸出単位数と遊技媒体貸出レートと（１＋消費税率）とを乗じて算出できる端数貸出の遊技媒体貸出料金以上であるか否かを判定する。プリペイド価値が端数貸出の遊技媒体貸出料金以上である場合には、カード管理部１４６ａは、プリペイド価値の範囲で可能な端数貸出の最小貸出単位を何単位貸し出せるのかを示す端数貸出単位数を算出する。また、カード管理部１４６ａは、カード管理データ４５ａに含まれるプリペイド価値から端数貸出単位数に相当する遊技媒体貸出料金分を減算して、台間カード処理機１１０に更新後のプリペイド価値及び端数貸出単位数を含む端数遊技媒体貸出許可を送信する。プリペイド価値が端数貸出の遊技媒体貸出料金未満である場合には、カード管理部１４６ａは、台間カード処理機１１０に遊技媒体貸出不可を通知する。
【０１３９】
遊技媒体貸出数・金額対応テーブル生成処理部１４６ｂは、消費税率４５ｂと遊技種一覧データ４５ｃとから、玉貸出数金額対応テーブル４５ｄ、メダル貸出数金額対応テーブル４５ｅ及び端数用玉貸出数金額対応テーブル１４５ｊを生成する処理部である。玉貸出数金額対応テーブル４５ｄ及びメダル貸出数金額対応テーブル４５ｅの具体的な生成方法は実施例１と同じであることから説明は省略する。端数用玉貸出数金額対応テーブル１４５ｊは、遊技種一覧データ４５ｃに規定されている遊技玉を使用する全ての遊技について、１回の貸出操作の貸出玉数とその消費税込みの玉貸料金を、所定の範囲（例えば１００枚以下）の全ての貸出玉数について算出することによって生成される。
【０１４０】
遊技媒体貸出単位数設定処理部１４６ｃは、遊技媒体貸出数・金額対応テーブル生成処理部１４６ｂの生成した玉貸出数金額対応テーブル４５ｄ、メダル貸出数金額対応テーブル４５ｅ、及び端数用玉貸出数金額対応テーブル１４５ｊを活用して、遊技媒体貸出単位数データ１４５ｉを決定する処理である。具体的な処理内容は後述する。
【０１４１】
次に、カード管理装置１４０の実施例２に係るデータ構成について説明する。図１２は、カード管理装置１４０の実施例２に係るデータ構成について説明するための説明図である。実施例１のカード管理装置４０と比較して、実施例２で追加、変更となった部分の説明を行う。
【０１４２】
端数用玉貸出数金額対応テーブル１４５ｊは、遊技種一覧データ４５ｃに規定される遊技の中で遊技玉を使用する遊技種の全ての遊技媒体貸出レート毎に、１回の貸出操作の貸出玉数と消費税率を８％とした時の消費税込みの玉貸料金を算出したデータである。図１２の端数用玉貸出数金額対応テーブル１４５ｊは、貸出玉数と遊技媒体貸出レート毎の貸出金額を対応付けたデータであり、貸出玉数が「１玉」の時の遊技媒体貸出料金は、遊技媒体貸出レートが０．５円／玉の場合は「０．５４円」、遊技媒体貸出レートが１．０円／玉の場合は「１．０８円」、遊技媒体貸出レートが１．６円／玉の場合は「１．７３円」、遊技媒体貸出レートが２．０円／玉の場合は「２．１６円」、遊技媒体貸出レートが２．５円／玉の場合は「２．７０円」、遊技媒体貸出レートが３．０円／玉の場合は「３．２４円」、遊技媒体貸出レートが４．０円／玉の場合は「４．３２円」であることを示している。また、図１２に示す端数用玉貸出数金額対応テーブル１４５ｊは、貸出玉数が２〜１０玉についても、（貸出玉数）×（遊技媒体貸出レート）×（１＋消費税率）で算出した遊技媒体貸出レート毎の貸出金額を記載したものである。
【０１４３】
絞込済端数用玉貸出数金額対応テーブル１４５ｋは、データ構造は端数用玉貸出数金額対応テーブル１４５ｊと同じであり、含まれるデータは、端数用玉貸出数金額対応テーブル１４５ｊの中から最低精算金種４５ｆの金額で割り切れる消費税込みの玉貸料金となる貸出玉数とその消費税込みの玉貸料金の組み合わせを抽出したデータである。図１２の絞込済端数用玉貸出数金額対応テーブル１４５ｋは、最低精算金種４５ｆが「１円」の場合であって、貸出玉数が「１０玉」の時の遊技媒体貸出料金は、遊技媒体貸出レートが０．５円／玉の場合は「×」、遊技媒体貸出レートが１．０円／玉の場合は「×」、遊技媒体貸出レートが１．６円／玉の場合は「×」、遊技媒体貸出レートが２．０円／玉の場合は「×」、遊技媒体貸出レートが２．５円／玉の場合は「２７．００円」、遊技媒体貸出レートが３．０円／玉の場合は「×」、遊技媒体貸出レートが４．０円／玉の場合は「×」であることを示している。遊技媒体貸出料金が「×」は、当該度数の遊技媒体貸出料金が最低精算金種４５ｆの金額で割り切れないことを示している。また、図１２の絞込済端数用玉貸出数金額対応テーブル１４５ｋは、貸出玉数が２０玉、２５玉、３０玉、４０玉、５０玉、６０玉、７０玉、７５玉及び８０玉についても、端数用玉貸出数金額対応テーブル１４５ｊの遊技媒体貸出料金が最低精算金種４５ｆの金額で割り切れない部分を「×」に置き換えたものとなっている。貸出玉数が１〜９玉や１１〜１９玉等の時は全ての遊技媒体貸出レートの遊技媒体貸出料金が最低精算金種４５ｆの金額で割り切れないことからレコード自体が存在しないためである。
【０１４４】
遊技媒体貸出単位数データ１４５ｉは、全ての遊技種に対して、プリペイド価値が十分にある場合の通常の１回の遊技媒体貸出操作で貸し出す遊技媒体貸出単位数及びプリペイド価値の残高が通常の遊技媒体貸出料金未満の場合の遊技媒体の端数貸出の最小遊技媒体貸出単位数を定義したデータである。図１２の遊技媒体貸出単位数データ１４５ｉは、最低精算金種４５ｆが「１円」である場合の例であって、遊技媒体貸出単位数の通常貸出の部分は実施例１の図５の遊技媒体貸出単位数と同様であり説明を省略する。図１２の遊技媒体貸出単位数の端数貸出の部分は、図１２の絞込済端数用玉貸出数金額対応テーブル１４５ｋの太枠で囲んだ部分が示す内容を集約したものとなっている。
【０１４５】
図１２の遊技媒体貸出単位数データ１４５ｉは、遊技媒体種類が「遊技玉」で遊技媒体貸出レートが「４．０円／玉」の遊技媒体貸出単位数の通常貸出が「１２５玉」で端数貸出の最小単位貸玉数が「２５玉」で、遊技媒体種類が「遊技玉」で遊技媒体貸出レートが「３．０円／玉」の遊技媒体貸出単位数の通常貸出が「１２５玉」で端数貸出の最小単位貸玉数が「２５玉」で、遊技媒体種類が「遊技玉」で遊技媒体貸出レートが「２．５円／玉」の遊技媒体貸出単位数の通常貸出が「１５０玉」で端数貸出の最小単位貸玉数が「５玉」で、遊技媒体種類が「遊技玉」で遊技媒体貸出レートが「２．０円／玉」の遊技媒体貸出単位数の通常貸出が「１５０玉」で端数貸出の最小単位貸玉数が「２５玉」で、遊技媒体種類が「遊技玉」で遊技媒体貸出レートが「１．６円／玉」の遊技媒体貸出単位数の通常貸出が「１２５玉」で端数貸出の最小単位貸玉数が「１２５玉」で、遊技媒体種類が「遊技玉」で遊技媒体貸出レートが「１．０円／玉」の遊技媒体貸出単位数の通常貸出が「１２５玉」で端数貸出の最小単位貸玉数が「２５玉」で、遊技媒体種類が「遊技玉」で遊技媒体貸出レートが「０．５円／玉」の遊技媒体貸出単位数の通常貸出が「１５０玉」で端数貸出の最小単位貸玉数が「５０玉」であることを示している。
【０１４６】
また、図１２の遊技媒体貸出単位数データ１４５ｉは、遊技媒体種類が「メダル」で遊技媒体貸出レートが「２０円／枚」の遊技媒体貸出単位数の通常貸出が「２０枚」で端数貸出の最小単位貸玉数が「５枚」で、遊技媒体種類が「メダル」で遊技媒体貸出レートが「１５円／枚」の遊技媒体貸出単位数の通常貸出が「３０枚」で端数貸出の最小単位貸玉数が「５枚」で、遊技媒体種類が「メダル」で遊技媒体貸出レートが「１０円／枚」の遊技媒体貸出単位数の通常貸出が「３０枚」で端数貸出の最小単位貸玉数が「５枚」で、遊技媒体種類が「メダル」で遊技媒体貸出レートが「５円／枚」の遊技媒体貸出単位数の通常貸出が「３０枚」で端数貸出の最小単位貸玉数が「５枚」で、遊技媒体種類が「メダル」で遊技媒体貸出レートが「２円／枚」の遊技媒体貸出単位数の通常貸出が「５０枚」で端数貸出の最小単位貸玉数が「２５枚」で、遊技媒体種類が「メダル」で遊技媒体貸出レートが「１円／枚」の遊技媒体貸出単位数の通常貸出が「５０枚」で端数貸出の最小単位貸玉数が「２５枚」であることを示している。
【０１４７】
次に、カード管理装置１４０の遊技媒体貸出単位数データ１４５ｉの設定画面を説明する。図１３は、カード管理装置１４０の遊技媒体貸出単位数データ１４５ｉの設定画面を説明するための画面概要図である。
【０１４８】
カード管理装置１４０の遊技媒体貸出単位数設定処理部１４６ｃは、表示部４１に図１３に示す遊技媒体貸出単位数データ１４５ｉの設定用の画面を表示して、従業員が画面上で簡単に遊技媒体貸出単位数データ１４５ｉの設定を行うことのできる手段を提供する。
【０１４９】
画面の左側半分が操作領域であり、入力部４２のキーボードやマウスによる操作を行う領域である。画面の右側半分が設定値表示領域であり、過去に設定した遊技媒体貸出単位数データ１４５ｉに記憶されている現状設定値若しくは本画面で変更を指定した設定予定値を表示している。設定値表示領域の最下段の「設定」ボタンを押下すると、本画面の設定値表示領域に表示されている内容を遊技媒体貸出単位数データ１４５ｉに反映させる。
【０１５０】
まず、画面の左側半分の操作領域について説明する。操作領域は、最低精算金種選択フィールド、端数金額での貸出可否選択フィールド、遊技種指定フィールド及び遊技媒体貸出単位選択領域を有する。
【０１５１】
最低精算金種選択フィールドは、最低精算金種４５ｆを指定するためのフィールドであり、プルダウンから１円、１０円、１００円等の金種の指定が可能である。本画面表示時には最低精算金種選択フィールドには現状設定値の最低精算金種４５ｆが表示され、設定値表示領域の最低精算金種のフィールドも同じ値が表示される。最低精算金額の値を変更すると、変更された最低精算金種と玉貸出数金額対応テーブル４５ｄとメダル貸出数金額対応テーブル４５ｅと端数用玉貸出数金額対応テーブル１４５ｊとから、絞込済玉貸出数金額対応テーブル４５ｇと絞込済メダル貸出数金額対応テーブル４５ｈと絞込済端数用玉貸出数金額対応テーブル１４５ｋとを生成する。また、最低精算金額の値を変更すると設定値表示領域の最低精算金種の表示内容を更新するとともに、設定値表示領域の遊技種別の通常貸出の媒体数、金額、端数貸出の媒体数及び金額の値は全てクリアされる。図１３は、最低精算金額に「１円」が選択されている例を示す。
【０１５２】
端数金額での貸出可否選択フィールドは、遊技媒体の貸出しにおいて、プリペイド価値が十分にある時の遊技媒体貸出である通常遊技媒体貸出とは別に、プリペイド価値が通常遊技媒体貸出に必要な金額が残っていない場合に、通常遊技媒体貸出数未満の単位で遊技媒体の貸出しを行うか否かの指定をするフィールドである。図１３は、端数金額での遊技媒体の貸出可否に「可」が選択されている例を示す。端数金額での遊技媒体の貸出可否に「可」が選択されると、遊技媒体貸出単位数設定処理部１４６ｃは、設定値表示領域の端数貸出の金額と媒体数の数値を自動表示する。具体的には、絞込済端数用玉貸出数金額対応テーブル１４５ｋ及び絞込済メダル貸出数金額対応テーブル４５ｈを利用して、遊技媒体貸出レート別に最低精算金種４５ｆと消費税込みの遊技媒体貸出レートの最小公倍数となる金額と、当該金額に対応する遊技媒体数を自動表示する。端数金額での遊技媒体の貸出可否に「不可」が選択されると、遊技媒体貸出単位数設定処理部１４６ｃは、設定値表示領域の全ての遊技種の端数貸出の金額と媒体数に、端数貸出不可を示す「−」を表示する。
【０１５３】
遊技種指定フィールドは、設定する遊技媒体払出単位の対象の遊技種を選択するためのフィールドである。遊技種指定フィールドは、遊技種一覧データ４５ｃに設定された値からの選択入力が可能であり、プルダウンにより選択可能な遊技媒体種類及び遊技媒体貸出レートが表示される。図１３は、遊技媒体種類が「遊技玉」で遊技媒体貸出レートが「４円」が選択されている例を示す。
【０１５４】
最低精算金種選択フィールドで最低精算金種が指定され、遊技種指定フィールドで遊技種が指定されると、遊技媒体貸出単位選択領域には、指定された遊技種に対応する端数貸出に関する情報と通常貸出の設定候補の一覧が表示される。
【０１５５】
端数貸出に関する情報は、端数金額での遊技媒体の貸出可否に「可」が選択された場合に表示され、絞込済端数用玉貸出数金額対応テーブル１４５ｋ及び絞込済メダル貸出数金額対応テーブル４５ｈを利用して、遊技種指定フィールドに指定された遊技種の消費税込みの遊技媒体貸出レートと最低精算金種４５ｆの最小公倍数となる金額と、当該金額に対応する遊技媒体数を最小貸出媒体数として表示する。
【０１５６】
通常貸出の設定候補の一覧は、遊技種指定フィールドで指定した遊技種の遊技に関して、貸出遊技媒体数と税込の遊技媒体貸出料金の中で、指定した最低精算金種で割り切れる遊技媒体貸出料金となる組み合わせを表示する。具体的には、絞込済玉貸出数金額対応テーブル４５ｇ若しくは絞込済メダル貸出数金額対応テーブル４５ｈの中の、遊技種指定フィールドで指定された遊技媒体貸出レートの貸出遊技媒体数と該遊技媒体数に対応する遊技媒体貸出料金の組み合わせを、貸出遊技媒体数の昇順に表示する。
【０１５７】
また、遊技媒体貸出単位選択領域に、候補となる通常貸出しの貸出遊技媒体数と遊技媒体貸出料金の組合せが画面に表示しきれない場合にはスクロールにより、他の候補の貸出遊技媒体数と遊技媒体貸出料金の組合せの表示を行うことが可能である。また、従業員は当該遊技媒体貸出単位選択領域に表示する通常貸出しの貸出媒体数と遊技媒体貸出料金の候補から、当該遊技媒体貸出単位選択領域の最右列の択一のチェックボックスをチェックすることにより、当該遊技種に対する、遊技媒体貸出数を決定する。該チェックボックスのいずれかを選択したうえで、「ＯＫ」ボタンを押下することにより、画面の右半分に位置する設定値表示領域に反映する。図１３は、貸出遊技媒体数が１２５玉で遊技媒体貸出料金が５４０円を選択されて、「ＯＫ」ボタンの押下により設定値表示領域に反映されている例を示す。
【０１５８】
次に、画面の右半分の設定値表示領域について説明する。設定値表示領域は、「最低精算金種」と「端数貸出」の可否と「遊技種別遊技媒体貸出単位数」の表示領域を有する。「遊技種別遊技媒体貸出単位数」の表示領域は遊技種毎に通常貸出の貸出媒体数、貸出金額、端数貸出の貸出媒体数及び貸出金額が表示される。通常貸出しの貸出媒体数及び貸出金額は、１回の遊技媒体貸出操作によって貸し出される遊技媒体数と金額の、現状設定値若しくは操作領域で指定した設定予定値を表示する。端数貸出の貸出媒体数及び貸出金額は、プリペイド価値が通常貸出分の価値が残っていない場合の端数貸出の貸出単位となる遊技媒体数と金額の、現状設定値若しくは操作領域で指定した設定予定値を表示する。
【０１５９】
図１３の設定値表示領域の表示内容は、最低精算金種が「１円」、端数貸出が「可」であることを示している。また、図１３の設定値表示領域の表示内容は、遊技種毎の遊技媒体の通常貸出しは、遊技媒体種類が「遊技玉」の「４」円レートが「１２５」玉を消費税込「５４０」円で、「３」円レートが「１２５」玉を消費税込「４０６」円で、「２．５」円レートが「１５０」玉を消費税込「４０６」円で、「２」円レートが「１５０」玉を消費税込「３２４」円で実施することを示している。また、図１３の設定値表示領域の表示内容は、遊技種毎及び遊技媒体貸出レート毎の遊技媒体の端数貸出しは、遊技媒体種類が「遊技玉」の「４」円レートが「２５」玉を消費税込「１０８」円、「３」円レートが「２５」玉を消費税込「８１」円、「２．５」円レートが「１０」玉を消費税込「２７」円、「２」円レートが「２５」玉を消費税込「５４」円、「１．６」円レートが「１２５」玉を消費税込「２１６」円、「１」円レートが「２５」玉を消費税込「２７」円、「０．５」円レートが「５０」玉を消費税込「２７」円、遊技媒体種類が「メダル」の「２０」円レートが「５」枚を消費税込み「１０８」円、「１５」円レートが「５」枚を消費税込み「８１」円、「１０」円レートが「５」枚を消費税込み「５４」円、「５」円レートが「５」枚を消費税込み「２７」円、「２」円レートが「２５」枚を消費税込み「５４」円、「１」円レートが「２５」枚を消費税込み「２７」円で貸し出すのを端数貸出の最小貸出単位であることを示している。
【０１６０】
図１３の例で示す通り、端数貸出と通常貸出の貸出媒体数及び貸出料金に関して、端数貸出の方が小さな値となっている遊技種の遊技においては、端数貸出が行えることによって通常貸出による遊技媒体貸出を行えない場合と比較するとプリペイド価値を有効に使って遊技媒体の貸出を実施することができる。
【０１６１】
次に、台間カード処理機１１０の実施例２に係る内部構成を説明する。図１４は、台間カード処理機１１０の実施例２に係る内部構成を示すブロック図である。また、図１４に示す台間カード処理機１１０の内部構成では、実施例１で説明した台間カード処理機１０と同じ部分については実施例１の台間カード処理機１０と同じ符号をつけ、同じ部分の説明は省略して、変更になっている部分を中心に説明する。
【０１６２】
記憶部１６の中では、遊技設定データ１１６ｄが実施例１と比較して、端数貸出の最小貸出遊技媒体数と最小貸出遊技媒体数に対応する最小遊技媒体貸出料金とが追加となっている。
【０１６３】
また、制御部１７の中では遊技設定受付部１１７ｃ及び貸出処理部１１７ｄが実施例１と比較して、処理内容が異なっている。遊技設定受付部１１７ｃは、カード管理装置１４０から配信される遊技設定データ更新要求を受け付けて、遊技設定データ１１６ｄを受け付けたデータで更新する。具体的には、遊技設定データ更新要求に含まれる遊技媒体貸出レートと、通常の遊技媒体貸出における１回の遊技媒体貸出操作で貸し出される貸出遊技媒体数及び遊技媒体貸出料金と、プリペイド価値の残高が通常貸出の遊技媒体貸出料金未満の時の遊技媒体貸出操作で実施される端数貸出における最小貸出遊技媒体数及び最小貸出遊技媒体数に対応する最小遊技媒体貸出料金とを、遊技設定データ１１６ｄに記憶する。
【０１６４】
貸出処理部１１７ｄは、遊技客により遊技媒体の貸出操作が行なわれた場合に、カードＩＤ１６ａ及び装置ＩＤ１６ｃを含む遊技媒体貸出要求をカード管理装置１４０に送信する。貸出処理部１１７ｄは、この遊技媒体貸出要求への応答として通常遊技媒体貸出許可を受信したならば、有価価値データ１６ｂのプリペイド価値から遊技設定データ１１６ｄに記憶されている通常貸出の遊技媒体貸出料金を減算し、遊技設定データ１１６ｄに記憶されている通常貸出の貸出遊技媒体数の貸出を実施する。また、貸出処理部１１７ｄは、遊技媒体貸出要求への応答として貸出単位数を含む端数遊技媒体貸出許可を受信したならば、有価価値データ１６ｂのプリペイド価値から遊技設定データ１１６ｄに記憶されている端数貸出の最小遊技媒体貸出料金と応答で受け付けた端数貸出単位数を乗じた金額を減算し、遊技設定データ１１６ｄに記憶されている端数貸出の最小貸出遊技媒体数と応答で受け付けた端数貸出単位数を乗じた数の遊技媒体の貸出を実施する。
【０１６５】
次に、図１４に示した台間カード処理機１１０の実施例２に係るデータ構成について説明する。図１５は、台間カード処理機１１０の実施例２に係るデータ構成について説明するための説明図である。
【０１６６】
遊技設定データ１１６ｄは、当該台間カード処理機１１０に対応する遊技機２０で使用する遊技媒体種類と、遊技媒体貸出レートと、通常貸出で１回の遊技媒体貸出操作で貸し出される貸出遊技媒体数と、該貸出遊技媒体数の貸出に対応する遊技媒体貸出料金と、プリペイド価値の残高が通常貸出の遊技媒体貸出料金未満の時の遊技媒体貸出操作で実施される端数貸出における最小貸出遊技媒体数と、最小貸出遊技媒体数に対応する最小遊技媒体貸出料金とを有している。図１５の遊技設定データ１１６ｄは、遊技媒体種類が「遊技玉」、遊技媒体貸出レートが「４円」、通常貸出の貸出遊技媒体数が「１２５玉」で遊技媒体貸出料金が「５４０円」、端数貸出の最小貸出遊技媒体数が「２５玉」で最小遊技媒体貸出料金が「１０８円」であることを示す。
【０１６７】
次に、台間カード処理機１１０の実施例２に係る遊技媒体貸出処理の処理手順を説明する。図１６は、台間カード処理機１１０の実施例２に係る遊技媒体貸出処理の処理手順を説明するためのフローチャートである。
【０１６８】
まず、遊技客による遊技媒体貸出操作の有無を判定する（ステップＳ１０１）。遊技媒体貸出操作が実施されていない場合（ステップＳ１０１；Ｎｏ）には、処理を終了する。遊技媒体貸出操作が実施されている場合（ステップＳ１０１；Ｙｅｓ）には、貸出処理部１１７ｄは、カード管理装置１４０に台間カード処理機１０に挿入されているカードのカードＩＤと、送信元である台間カード処理機１１０を特定するアドレス若しくは任意の識別情報とを含む遊技媒体貸出要求の電文を送信する（ステップＳ１０２）。カード管理装置１４０から遊技媒体貸出要求に対する応答が送信されてきたならば、貸出処理部１１７ｄは、遊技媒体貸出応答を受け付けて受け付けた内容を記憶する（ステップＳ１０３）。
【０１６９】
遊技媒体貸出応答の内容が、通常貸出の許可を示す内容だった場合に（ステップＳ１０４；Ｙｅｓ）、貸出処理部１１７ｄは、遊技設定データ１１６ｄの通常貸出の貸出遊技媒体数に記憶されている数の遊技媒体を払い出す（ステップＳ１０５）。さらに、貸出処理部１１７ｄは、有価価値データ１６ｂのプリペイド価値から遊技設定データ１１６ｄの通常貸出の遊技媒体貸出料金に記憶されている金額を減算する（ステップＳ１０６）。
【０１７０】
プリペイド価値の減算処理（ステップＳ１０６）に続いて、更新されたプリペイド価値と遊技設定データ１１６ｄの端数貸出の最小遊技媒体貸出料金との比較を行い（ステップＳ１０７）、プリペイド価値が遊技設定データ１１６ｄの端数貸出の最小遊技媒体貸出料金以上の場合（ステップＳ１０７；Ｙｅｓ）には、処理を終了する。プリペイド価値が遊技設定データ１１６ｄの端数貸出の最小遊技媒体貸出料金より小さい場合（ステップＳ１０７；Ｎｏ）には、入金をおこなうことによってプリペイド価値を更新しない限り、以降の遊技媒体貸出は行えないことから、遊技媒体貸出操作用のボタンをグレーダウンする等による遊技媒体貸出操作の制限を行う（ステップＳ１０８）。
【０１７１】
遊技媒体貸出応答の内容が、通常貸出の許可を示す内容ではなく（ステップＳ１０４；Ｎｏ）、端数貸出の許可を示す内容だった場合には（ステップＳ１０９；Ｙｅｓ）、貸出処理部１１７ｄは、端数貸出の許可を示す遊技媒体貸出応答に含まれる端数貸出単位数と遊技設定データ１１６ｄの端数貸出の最小貸出遊技媒体数を乗じた遊技媒体を払い出す（ステップＳ１１０）。また、貸出処理部１１７ｄは、有価価値データ１６ｂのプリペイド価値から、端数貸出の許可を示す遊技媒体貸出応答に含まれる端数貸出単位数と遊技設定データ１１６ｄの端数貸出の最小遊技媒体貸出料金を乗じた金額を減算して（ステップＳ１１１）、ステップＳ１０８の遊技媒体貸出制限処理に移行する。
【０１７２】
遊技媒体貸出応答の内容が、通常貸出の許可を示す内容ではなく（ステップＳ１０４；Ｎｏ）、端数貸出の許可を示す内容でもなかった場合（ステップＳ１０９；Ｎｏ）には、処理を終了する。
【０１７３】
上述してきたように、本実施例２では、実施例１の構成に加えて、プリペイド価値が通常の遊技媒体貸出料金未満の値の場合であっても、最低精算金種の制約を満たしつつ最大限の遊技媒体の貸出の行える端数貸出が行えるよう構成したので、遊技店の遊技媒体の貸出時の消費税を遊技客から徴収するにあたって遊技客の公平性と満足度の確保及び店舗従業員の負荷抑制を実現することができる。
【０１７４】
なお、上述の本実施例では遊技媒体貸出操作による遊技種毎の貸出遊技媒体数の決定にあたっては、遊技店の従業員に、画面に表示する消費税率及び最低精算金種の条件を満たす貸出遊技媒体数の候補から、適切な貸出遊技媒体数を選択させる方式としたが、本発明はこれに限定されるものではない。絞り込まれた貸出遊技媒体数から１つを選定する所定の選定基準を決めておき、該選定基準に準じて貸出遊技媒体数を自動的に決定することもできる。
【０１７５】
また、上述の実施例では、遊技媒体の貸出処理で払い出される遊技媒体数について説明してきたが、上述の実施例で説明した遊技媒体の貸出処理で払い出される遊技媒体数を、貯玉再プレイ処理及び持玉再プレイ処理において払い出される遊技媒体数としてもよい。若しくは、設定によって貯玉再プレイ処理及び持玉再プレイ処理において払い出される遊技媒体数を、遊技媒体の貸出処理で払い出される遊技媒体数と同じとするか、個別に設定するかの指定を可能とし、個別設定とする場合には貯玉再プレイ処理及び持玉再プレイ処理において払い出される遊技媒体数を個別に設定可能としても良い。
【０１７６】
また、上述の実施例では、外部から投入された遊技玉を遊技盤面に射出し、入賞時には現物の遊技玉を払い出す開放式の遊技機２０を例に説明を行ってきたが、本発明は遊技機２０に関して開放式であることに限定したものではない。封入式の遊技機は遊技客が遊技玉に触れない構造となっており、遊技玉が入賞（遊技盤上の特定箇所に入球または通過）すると該入賞分の遊技玉数（入球箇所に応じた数の賞玉）を封入式の遊技機が管理する持玉数に加算し、アウト玉分の遊技玉数（発射された数）を持玉数から減算する。さらに、特定の入賞（抽選始動領域への入球）によって抽選を行い、この抽選の結果が当りであれば、特定の入賞領域への遊技玉の入球を容易にする、あるいは許容する作動を行う。また、封入式の遊技機に併設される台間カード処理機１０、１１０は、遊技媒体の貸出操作または貯玉再プレイ操作を行われたならば、遊技媒体の現物を払い出すのではなく、遊技媒体数を示すデータを一定数ずつ封入式遊技機に送信し、それを封入式遊技媒体の管理する持玉に加算することとなる。また、封入式遊技機は、所定の操作（管理移行操作）が行われたならば、遊技媒体数を示すデータを一定数ずつ台間カード処理機１０、１１０の管理する持玉に加算する。また、この管理移行操作は、操作の態様（ボタンの押時間など）に応じて単一操作あたりの送信遊技媒体数を異ならせるようにしてもよい。この場合、第１の操作に応じた第１の送信遊技媒体数と、第２の操作に応じた第２の送信遊技媒体数について、第２の送信遊技媒体数が第１の送信遊技媒体数の整数倍になるようにし、第１の遊技媒体数の設定について上述の貸出数の設定と同一の設定方法を用いるようにすることが好ましい。このようにすることによって、上述の実施例と同様に、有価価値の精算時の端数について、精算コストが高くなることを防止できる。
【０１７７】
本発明は、封入式の遊技機であっても、遊技媒体の貸出操作を受け付けたならば、本発明の貸出遊技媒体数を、現物として遊技媒体の払出処理を行う代わりに、封入式遊技機に貸出媒体数として通知することによって、同様の効果を実現することができる。
【０１７８】
また、上述の実施例では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティックであってもよい。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１７９】
また、図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１８０】
以上のように、本発明に係る遊技管理システム及び遊技管理方法は、遊技店の遊技媒体の貸出時の消費税を遊技客から徴収するにあたって遊技客の公平性と満足度の確保及び店舗従業員の負荷抑制を実現することに適している。
【符号の説明】
【０１８１】
１０、１１０  台間カード処理機
１１  状態表示部
１２  紙幣搬送部
１２ａ  紙幣挿入口
１３  表示操作部
１４  リーダライタ
１４ａ  カード挿入口
１４ｂ  かざし部
１５  通信部
１６、４５  記憶部
１６ａ  カードＩＤ
１６ｂ  有価価値データ
１６ｃ  装置ＩＤ
１６ｄ、１１６ｄ  遊技設定データ
１７、４６  制御部
１７ａ  データ管理部
１７ｂ  計数処理部
１７ｃ、１１７ｃ  遊技設定受付部
１７ｄ、１１７ｄ  貸出処理部
１８ａ  ノズルユニット
１８ｂ  計数ユニット
２０  遊技機
３０  島コントローラ
４０、１４０  カード管理装置
４１  表示部
４２  入力部
４４  店舗内ネットワーク通信部
４５ａ  カード管理データ
４５ｂ  消費税率
４５ｃ  遊技種一覧データ
４５ｄ  玉貸出数金額対応テーブル
４５ｅ  メダル貸出数金額対応テーブル
４５ｆ  最低精算金種
４５ｇ  絞込済玉貸出数金額対応テーブル
４５ｈ  絞込済メダル貸出数金額対応テーブル
４５ｉ、１４５ｉ  遊技媒体貸出単位数データ
１４５ｊ  端数用玉貸出数金額対応テーブル
１４５ｋ  絞込済端数用玉貸出数金額対応テーブル
４６ａ、１４６ａ  カード管理部
４６ｂ、１４６ｂ  遊技媒体貸出数・金額対応テーブル生成処理部
４６ｃ、１４６ｃ  遊技媒体貸出単位数設定処理部
５０  会員管理装置
６０  景品管理装置
８０  精算機
【図１】
2014200594.tif 000003
【図２】
2014200594.tif 000004
【図３】
2014200594.tif 000005
【図４】
2014200594.tif 000006
【図５】
2014200594.tif 000007
【図６】
2014200594.tif 000008
【図７】
2014200594.tif 000009
【図８】
2014200594.tif 000010
【図９】
2014200594.tif 000011
【図１０】
2014200594.tif 000012
【図１１】
2014200594.tif 000013
【図１２】
2014200594.tif 000014
【図１３】
2014200594.tif 000015
【図１４】
2014200594.tif 000016
【図１５】
2014200594.tif 000017
【図１６】
2014200594.tif 000018